(57)【特許請求の範囲】
【請求項１】
イントラ・クローズド加入者グループ（ＣＳＧ）ハンドオーバを実行するための方法であって、
ＣＳＧとの関連付けを通知する信号を送信機を用いて送信することと、
ターゲット・セルが前記ＣＳＧに関連付けられていることを判定することと、
前記ターゲット・セルが前記ＣＳＧに関連付けられていることを判定することに少なくとも部分的に基づいて、前記ターゲット・セルを提供するターゲット・アクセス・ポイントへのデバイスのハンドオーバを開始することと、
を備え、
前記ハンドオーバを開始することは、前記ターゲット・アクセス・ポイントへ、リロケーション要求またはハンドオーバ要求を送信することを備え、
前記方法はさらに、
前記ターゲット・セルがハイブリッド・セルであることを判定することと、
前記ターゲット・セルがハイブリッド・セルであることを判定することに少なくとも部分的に基づいて、前記デバイスが前記ＣＳＧのメンバであるか否かを、前記リロケーション要求または前記ハンドオーバ要求において示すことと、
前記デバイスから、ＣＳＧ識別子、物理セル識別子、またはアクセス・モードを受信することと、
前記ターゲット・セルがハイブリッド・セルであることを判定することに少なくとも部分的に基づいて、前記デバイスからの前記ＣＳＧ識別子、前記物理セル識別子、または前記アクセス・モードを、前記リロケーション要求または前記ハンドオーバ要求に含めることと
を備える、方法。
【請求項２】
前記ターゲット・セルがクローズド・セルであることを判定することをさらに備え、
前記デバイスのハンドオーバを開始することはさらに、前記ターゲット・セルがクローズド・セルであることを判定することに少なくとも部分的に基づく、請求項１に記載の方法。
【請求項３】
前記判定することは、前記ターゲット・セルが、前記ＣＳＧに関連付けられていることを、前記ＣＳＧの識別子と、前記ターゲット・アクセス・ポイントに対応するＣＳＧ識別子を比較することに少なくとも部分的に基づいて判定することを含む、請求項１に記載の方法。
【請求項４】
前記デバイスから測定レポートを受信することをさらに備え、
前記測定レポートは、前記ターゲット・アクセス・ポイントに対応するＣＳＧ識別子を備える、請求項３に記載の方法。
【請求項５】
前記ターゲット・アクセス・ポイントによって送信されたブロードキャスト信号から前記ＣＳＧ識別子を受信すること、をさらに備える請求項３に記載の方法。
【請求項６】
前記ハンドオーバを開始することは、Ｘ２インタフェースを介して前記ターゲット・アクセス・ポイントと通信することを備える、請求項１に記載の方法。
【請求項７】
イントラ・クローズド加入者グループ（ＣＳＧ）ハンドオーバを実行するための装置であって、
ＣＳＧとの関連付けを通知する信号を送信し、
ターゲット・セルが前記ＣＳＧに関連付けられていることを判定し、
前記ターゲット・セルが前記ＣＳＧに関連付けられていることに少なくとも部分的に基づいて、前記ターゲット・セルを提供するターゲット・アクセス・ポイントへのデバイスのハンドオーバを開始する
ように構成された少なくとも１つのプロセッサと、
前記少なくとも１つのプロセッサに接続されたメモリと、
を備え、
前記少なくとも１つのプロセッサは、少なくとも部分的に、前記ターゲット・アクセス・ポイントへリロケーション要求またはハンドオーバ要求を送信することによって、前記ハンドオーバを開始し、
前記ターゲット・セルがハイブリッド・セルであることを判定し、
前記ターゲット・セルがハイブリッド・セルであることに少なくとも部分的に基づいて、前記デバイスが前記ＣＳＧのメンバであるか否かを、前記リロケーション要求または前記ハンドオーバ要求において示し、
前記デバイスから、ＣＳＧ識別子、物理セル識別子、またはアクセス・モードを取得し、
前記ターゲット・セルが前記ハイブリッド・セルであることに少なくとも部分的に基づいて、前記ＣＳＧ識別子、前記物理セル識別子、または前記アクセス・モードを、前記リロケーション要求または前記ハンドオーバ要求において指定する
ように構成された、装置。
【請求項８】
前記少なくとも１つのプロセッサはさらに、前記ターゲット・セルがクローズド・セルであることを判定するように構成され、
前記少なくとも１つのプロセッサは、さらに前記ターゲット・セルがクローズド・セルであることに少なくとも部分的に基づいて、前記デバイスのハンドオーバを開始する、請求項７に記載の装置。
【請求項９】
前記少なくとも１つのプロセッサは、前記ターゲット・セルが、前記ＣＳＧに関連付けられていることを、前記ターゲット・アクセス・ポイントに対応するＣＳＧ識別子を、前記ＣＳＧの識別子と比較することに少なくとも部分的に基づいて判定する、請求項７に記載の装置。
【請求項１０】
前記少なくとも１つのプロセッサはさらに、前記ターゲット・アクセス・ポイントに対応するＣＳＧ識別子を備える測定レポートを、前記デバイスから受信するように構成された、請求項９に記載の装置。
【請求項１１】
前記少なくとも１つのプロセッサはさらに、前記ターゲット・アクセス・ポイントによって送信されたブロードキャスト信号から前記ＣＳＧ識別子を受信するように構成された、請求項９に記載の装置。
【請求項１２】
前記少なくとも１つのプロセッサは、少なくとも部分的に、Ｘ２インタフェースを介して前記ターゲット・アクセス・ポイントと通信することによって前記ハンドオーバを開始する、請求項７に記載の装置。
【請求項１３】
イントラ・クローズド加入者グループ（ＣＳＧ）ハンドオーバを実行するための装置であって、
ＣＳＧとの関連付けを通知する信号を送信する手段と、
ターゲット・セルが前記ＣＳＧに関連付けられていることを判定する手段と、
前記ターゲット・セルがＣＳＧに関連付けられていることを判定することに少なくとも部分的に基づいて、前記ターゲット・セルを提供するターゲット・アクセス・ポイントへのデバイスのハンドオーバを開始する手段と、
を備え、
前記開始する手段は、少なくとも部分的に、前記ターゲット・アクセス・ポイントへリロケーション要求またはハンドオーバ要求を送信することによって、前記ハンドオーバを開始し、
前記開始する手段は、
前記ターゲット・セルがハイブリッド・セルであることを判定し、
前記ターゲット・セルがハイブリッド・セルであることを判定することに基づいて、前記デバイスが前記ＣＳＧのメンバであるか否かを、前記リロケーション要求または前記ハンドオーバ要求において示し、
前記装置は、
前記デバイスから、ＣＳＧ識別子、物理セル識別子、またはアクセス・モードを受信する手段をさらに備え、
前記示すことは、前記ターゲット・セルが前記ハイブリッド・セルであると判定することに基づいて、前記ＣＳＧ識別子、前記物理セル識別子、または前記アクセス・モードを、前記リロケーション要求または前記ハンドオーバ要求において指定する、装置。
【請求項１４】
前記開始する手段は、
前記ターゲット・セルがクローズド・セルであると判定し、
前記ターゲット・セルがクローズド・セルであると判定することに少なくとも部分的に基づいて、前記ハンドオーバを開始する、
請求項１３に記載の装置。
【請求項１５】
前記判定する手段は、前記ターゲット・セルが、前記ＣＳＧに関連付けられていることを、前記ＣＳＧの識別子と、前記ターゲット・アクセス・ポイントに対応するＣＳＧ識別子を比較することに少なくとも部分的に基づいて判定する、請求項１３に記載の装置。
【請求項１６】
前記デバイスから測定レポートを受信する手段をさらに備え、
前記判定する手段は、前記測定レポートから前記ＣＳＧ識別子を取得する、請求項１５に記載の装置。
【請求項１７】
前記判定する手段は、前記ターゲット・アクセス・ポイントによって送信されたブロードキャスト信号から前記ＣＳＧ識別子を受信する、請求項１５に記載の装置。
【請求項１８】
前記開始する手段は、少なくとも部分的に、Ｘ２インタフェースを介して前記ターゲット・アクセス・ポイントと通信することによって前記ハンドオーバを開始する、請求項１３に記載の装置。
【請求項１９】
イントラ・クローズド加入者グループ（ＣＳＧ）ハンドオーバを実行するためのコンピュータ・プログラムを格納したコンピュータ読取可能な記憶媒体であって、
前記コンピュータ・プログラムは、
少なくとも１つのコンピュータに対して、ＣＳＧとの関連付けを通知する信号を送信させるためのコードと、
前記少なくとも１つのコンピュータに対して、ターゲット・セルが前記ＣＳＧに関連付けられているか否かを判定させるためのコードと、
前記少なくとも１つのコンピュータに対して、前記ターゲット・セルが前記ＣＳＧに関連付けられているか否かを判定することに少なくとも部分的に基づいて、前記ターゲット・セルを提供するターゲット・アクセス・ポイントへのデバイスのハンドオーバを開始させるためのコードと、
を備え、
前記少なくとも１つのコンピュータに対して開始させるためのコードは、少なくとも部分的に、前記ターゲット・アクセス・ポイントへリロケーション要求またはハンドオーバ要求を送信することによって、前記ハンドオーバを開始し、
前記コンピュータ・プログラムはさらに、
前記少なくとも１つのコンピュータに対して、前記ターゲット・セルがハイブリッド・セルであることを判定させるためのコードと、
前記少なくとも１つのコンピュータに対して、前記ターゲット・セルがハイブリッド・セルであることに少なくとも部分的に基づいて、前記デバイスが前記ＣＳＧのメンバであるか否かを、前記リロケーション要求または前記ハンドオーバ要求において示させるためのコードと、
前記少なくとも１つのコンピュータに対して、前記デバイスから、ＣＳＧ識別子、物理セル識別子、またはアクセス・モードを受信させ、前記ターゲット・セルが前記ハイブリッド・セルであることに少なくとも部分的に基づいて、前記ＣＳＧ識別子、前記物理セル識別子、または前記アクセス・モードを、前記リロケーション要求または前記ハンドオーバ要求において指定させる
ためのコードを備える、コンピュータ読取可能な記憶媒体。
【請求項２０】
前記コンピュータ・プログラムはさらに、前記少なくとも１つのコンピュータに対して、前記ターゲット・セルがクローズド・セルであることを判定させるためのコードを備え、
前記少なくとも１つのコンピュータに対して開始させるためのコードは、前記ターゲット・セルがクローズド・セルであることに少なくとも部分的に基づいて、前記デバイスのハンドオーバを開始する、請求項１９に記載のコンピュータ読取可能な記憶媒体。
【請求項２１】
前記コンピュータ・プログラムはさらに、前記少なくとも１つのコンピュータに対して、前記ターゲット・セルが、前記ＣＳＧに関連付けられていることを、前記ターゲット・アクセス・ポイントに対応するＣＳＧ識別子を、前記ＣＳＧの識別子と比較することに少なくとも部分的に基づいて判定する、請求項１９に記載のコンピュータ読取可能な記憶媒体。
【請求項２２】
前記コンピュータ・プログラムはさらに、前記少なくとも１つのコンピュータに対して、前記ターゲット・アクセス・ポイントに対応するＣＳＧ識別子を備える前記測定レポートを前記デバイスから受信させるためのコードを備える、請求項２１に記載のコンピュータ読取可能な記憶媒体。
【請求項２３】
前記コンピュータ・プログラムはさらに、前記少なくとも１つのコンピュータに対して、前記ターゲット・アクセス・ポイントによって送信されたブロードキャスト信号から前記ＣＳＧ識別子を受信させるためのコードを備える、請求項２１に記載のコンピュータ読取可能な記憶媒体。
【請求項２４】
前記少なくとも１つのコンピュータに対して開始させるためのコードは、少なくとも部分的に、Ｘ２インタフェースを介して前記ターゲット・アクセス・ポイントと通信することによって前記ハンドオーバを開始する、請求項１９に記載のコンピュータ読取可能な記憶媒体。
【請求項２５】
イントラ・クローズド加入者グループ（ＣＳＧ）ハンドオーバを実行するための装置であって、
ＣＳＧとの関連付けを通知する信号を送信するＣＳＧ関連付け構成要素と、
ターゲット・セルが前記ＣＳＧに関連付けられているか否かを判定するＣＳＧ判定構成要素と、
前記ターゲット・セルが前記ＣＳＧに関連付けられているか否か判定することに少なくとも部分的に基づいて、前記ターゲット・セルを提供するターゲット・アクセス・ポイントへのデバイスのハンドオーバを開始するハンドオーバ構成要素と、
を備え、
前記ハンドオーバ構成要素は、少なくとも部分的に、前記ターゲット・アクセス・ポイントへリロケーション要求またはハンドオーバ要求を送信することによって、前記ハンドオーバを開始し、
前記ターゲット・セルがハイブリッド・セルであると判定し、
前記ターゲット・セルがハイブリッド・セルであると判定することに基づいて、前記デバイスが前記ＣＳＧのメンバであるか否かを、前記リロケーション要求または前記ハンドオーバ要求において示し、
前記装置は、前記デバイスから、ＣＳＧ識別子、物理セル識別子、またはアクセス・モードを受信する測定レポート受信構成要素をさらに備え、
前記ハンドオーバ構成要素は、前記ターゲット・セルが前記ハイブリッド・セルであると判定することに基づいて、前記ＣＳＧ識別子、前記物理セル識別子、または前記アクセス・モードを、前記リロケーション要求または前記ハンドオーバ要求において指定する、装置。
【請求項２６】
前記ハンドオーバ構成要素は、
前記ターゲット・セルがクローズド・セルであると判定し、
前記ターゲット・セルがクローズド・セルであると判定することに少なくとも部分的に基づいて、前記ハンドオーバを開始する、
請求項２５に記載の装置。
【請求項２７】
前記ＣＳＧ判定構成要素は、前記ターゲット・セルが、前記ＣＳＧに関連付けられていることを、前記ＣＳＧの識別子と、前記ターゲット・アクセス・ポイントに対応するＣＳＧ識別子を比較することに少なくとも部分的に基づいて判定する、請求項２５に記載の装置。
【請求項２８】
前記ターゲット・アクセス・ポイントに対応するＣＳＧ識別子を備える測定レポートを前記デバイスから受信する測定レポート受信構成要素をさらに備える請求項２７に記載の装置。
【請求項２９】
前記ＣＳＧ判定構成要素は、前記ターゲット・アクセス・ポイントによって送信されたブロードキャスト信号から前記ＣＳＧ識別子を受信する、請求項２７に記載の装置。
【請求項３０】
前記ハンドオーバ構成要素は、少なくとも部分的に、Ｘ２インタフェースを介して前記ターゲット・アクセス・ポイントと通信することによって前記ハンドオーバを開始する、請求項２５に記載の装置。
【発明の詳細な説明】
【優先権主張】
【０００１】
本特許出願は、“異なるアクセス・モードのセルのためのイントラ・クローズド加入者グループ・ハンドオーバ”（INTRA CLOSED SUBSCRIBER GROUP HANDOVER FOR CELLS WITH DIFFERENT ACCESS MODES）と題された２０１０年４月２９日出願の米国特許仮出願６１／３２９，４２４号に対する優先権を主張する。この仮出願は、本明細書の譲受人に譲渡され、本明細書に参照によって明確に組み込まれている。
【技術分野】
【０００２】
以下の記載は、一般に、無線ネットワーク通信に関し、さらに詳しくは、ハンドオーバを実行することに関する。
【背景技術】
【０００３】
無線通信システムは、例えば、音声、データ等のようなさまざまなタイプの通信コンテンツを提供するために広く開発された。一般的な無線通信システムは、（例えば、帯域幅、送信電力等のような）利用可能なシステム・リソースを共有することにより、複数のユーザとの通信をサポートすることができる多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム等を含む。さらに、これらシステムは、例えば第３世代パートナシップ計画（３ＧＰＰ）、３ＧＰＰロング・ターム・イボリューション（ＬＴＥ）、ウルトラ・モバイル・ブロードバンド（ＵＭＢ）、イボリューション・データ・オプティマイズド（ＥＶ−ＤＯ）等のような仕様に準拠しうる。
【０００４】
一般に、無線多元接続通信システムは、複数のモバイル・デバイスのための通信を同時にサポートしうる。モバイル・デバイスはおのおのの、順方向リンクおよび逆方向リンクによる送信を介して１または複数の基地局と通信しうる。順方向リンク（すなわち、ダウンリンク）は、基地局からモバイル・デバイスへの通信リンクを称し、逆方向リンク（すなわち、アップリンク）は、モバイル・デバイスから基地局への通信リンクを称する。さらに、モバイル・デバイスと基地局との間の通信は、単一入力単一出力（ＳＩＳＯ）システム、複数入力単一出力（ＭＩＳＯ）システム、複数入力複数出力（ＭＩＭＯ）システム等によって確立されうる。さらに、モバイル・デバイスは、ピア・トゥ・ピア無線ネットワーク構成で、他のモバイル・デバイスと（および／または基地局が他の基地局と）通信しうる。
【０００５】
従来の基地局を補足するために、よりロバストな無線有効通信範囲をモバイル・デバイスに提供するために、さらに基地局が配置されうる。例えば、増加する容量成長、よりリッチなユーザ体験、ビルディング内またはその他の特定の地理的有効通信範囲等のために、無線中継局および低電力基地局（例えば、集合的にＨ（ｅ）ＮＢと称されるホーム・ノードＢまたはホームｅＮＢ、フェムト・アクセス・ポイント、フェムト・セル、ピコセル、マイクロセル等）が配置されうる。いくつかの構成では、このような低電力基地局は、ブロードバンド接続（例えば、デジタル加入者線（ＤＳＬ）ルータまたはケーブルまたはその他のモデムを経由して、）インターネットおよびモバイル・オペレータのネットワークに接続される。いくつかのＨ（ｅ）ＮＢは、クローズド加入者グループ（ＣＳＧ）のメンバである関連するユーザまたはあるデバイスへのアクセスを制限する（または、高められたアクセス・レベルを提供する）ために、ＣＳＧアクセスと関連している。
【０００６】
さらに、Ｈ（ｅ）ＮＢは、例えば、実質的に任意のデバイスへのアクセスを可能にするオープン・アクセス・モードを用いること、ＣＳＧのメンバであるデバイスへのアクセスを制限するクローズド・アクセス・モードを用いること、または、ＣＳＧのメンバであるデバイスへの増加するアクセスまたはサービスのレベルを可能にしながら、ＣＳＧのメンバではないデバイスへのサービスまたはアクセスの少なくともあるレベルを可能にするハイブリッド・アクセス・モードを用いることのように、変動する制限レベルを用いて動作しうる。さらに、複数のＨ（ｅ）ＮＢが、所与のＣＳＧに関連付けられ、これによって、ＣＳＧのパラメータを（例えば、企業、リテール・センタ等において）通知しうる。この点において、デバイスは、有効通信範囲領域にわたって移動し、ＣＳＧ内の１または複数のＨ（ｅ）ＮＢへハンドオーバされうる。
【発明の概要】
【０００７】
以下は、１または複数の態様の基本的な理解を与えるために、このような態様の簡略化された概要を示す。この概要は、考えられるすべての態様の広範囲な概観ではなく、すべての態様の重要要素や決定的要素を特定することも、何れかまたは全ての態様のスコープを線引きすることも意図されていない。その唯一の目的は、後に示されるより詳細な記載に対する前置きとして、簡略化された形式で１または複数の態様のいくつかの概念を表すことである。
【０００８】
１または複数の態様および対応する開示によれば、本開示は、制限されたアクセスを提供することに関連付けられたアクセス・ポイントの間で、１または複数のデバイスのハンドオーバを実行することに関連するさまざまな態様を記載する。アクセス・ポイントが、制限された類似のグループのメンバである場合、ハンドオーバを容易にするために、１または複数のデバイスのパラメータを通信しうる。例えば、１または複数のデバイスの、アクセス・ポイントとのメンバシップ・ステータスが、ソース・アクセス・ポイントからターゲット・アクセス・ポイントへのハンドオーバを開始する際に利用されうる。デバイスが、ソース・アクセス・ポイントにアクセスすることを許可されている場合、ソース・アクセス・ポイントは、アクセス・ポイント通信を容易にするインタフェースによって、メンバシップ・ステータスおよび／または１または複数のその他のパラメータを、ターゲット・アクセス・ポイントへ通信しうる。一例では、ターゲット・アクセス・ポイントは、その後、このデバイスが、ターゲット・アクセス・ポイントにおけるアクセスを許可されているか否かを、メンバシップ・ステータスおよび／またはその他のパラメータに基づいて検証しうる。したがって、このような情報は、デバイスから取得される必要はない。
【０００９】
例によれば、イントラ・クローズド加入者グループ（ＣＳＧ）ハンドオーバを実行するための方法が提供される。この方法は、ＣＳＧとの関連付けを通知することと、ターゲット・セルがＣＳＧに関連付けられていることを判定することと、を含む。この方法はさらに、ターゲット・セルを提供するアクセス・ポイントへのデバイスのハンドオーバを、ターゲット・セルがＣＳＧに関連付けられていることを判定することに少なくとも部分的に基づいて、開始することを含む。
【００１０】
別の態様によれば、イントラＣＳＧハンドオーバを実行するための装置が提供される。この装置は、ＣＳＧとの関連付けを通知する信号を送信し、ＣＳＧに関連付けられたターゲット・セルを判定する、ように構成されたプロセッサを含む。少なくとも１つのプロセッサはさらに、ターゲット・セルを提供するターゲット・アクセス・ポイントへのデバイスのハンドオーバを、ターゲット・セルがＣＳＧに関連付けられていることに基づいて開始するように構成される。この装置はさらに、少なくとも１つのプロセッサに接続されたメモリを含む。
【００１１】
また別の態様では、ＣＳＧとの関連付けを通知する信号を送信する手段と、ターゲット・セルがＣＳＧに関連付けられていることを判定する手段とを含む、イントラＣＳＧハンドオーバを実行するための装置が提供される。この装置はさらに、ターゲット・セルがＣＳＧに関連付けられていることを判定することに少なくとも部分的に基づいて、ターゲット・セルを提供するターゲット・アクセス・ポイントへのデバイスのハンドオーバを開始する手段を含む。
【００１２】
また、別の態様では、少なくとも１つのコンピュータに対して、ＣＳＧとの関連付けを通知する信号を送信させるためのコードと、少なくとも１つのコンピュータに対して、ターゲット・セルがＣＳＧに関連付けられているか否かを判定させるためのコードと、を有するコンピュータ読取可能な媒体を含む、イントラＣＳＧハンドオーバを実行するためのコンピュータ・プログラム製品が提供される。このコンピュータ読取可能な媒体はさらに、少なくとも１つのコンピュータに対して、ターゲット・セルがＣＳＧに関連付けられているか否かを判定することに少なくとも部分的に基づいて、ターゲット・セルを提供するターゲット・アクセス・ポイントへのデバイスのハンドオーバを開始させるためのコードを含む
さらに、態様では、ＣＳＧとの関連付けを通知する信号を送信するためのＣＳＧ関連付け構成要素と、ターゲット・セルがＣＳＧに関連付けられているかを判定するためのＣＳＧ判定構成要素とを含む、イントラＣＳＧハンドオーバを実行する装置が提供される。この装置はさらに、ターゲット・セルがＣＳＧに関連付けられているか否かを判定することに少なくとも部分的に基づいて、ターゲット・セルを提供するターゲット・アクセス・ポイントへのデバイスのハンドオーバを開始するためのハンドオーバ構成要素
を含む。
【００１３】
前述した目的および関連する目的を達成するために、１または複数の実施形態は、後に十分に記載され、特許請求の範囲において特に指摘されている特徴を備える。以下の記載および添付図面は、１または複数の態様のある例示的な特徴を詳細に記載する。しかしながら、これらの特徴は、さまざまな態様の原理が適用されるさまざまな方式のうちの極く一部しか示しておらず、本説明は、このような態様およびこれらの均等物の全てを含むことが意図されている。
【図面の簡単な説明】
【００１４】
開示された態様は、以下において、同一符号が同一要素を示す添付図面と連携して説明され、開示された態様を、限定することなく、例示するために提供される。
【図１】図１は、イントラ・クローズド加入者グループ（ＣＳＧ）ハンドオーバを実行することを容易にするシステムの態様のブロック図である。
【図２】図２は、同じまたは類似のＣＳＧにおけるアクセス・ポイントへデバイスの通信をハンドオーバするためのシステムの態様のブロック図である。
【図３】図３は、イントラＣＳＧハンドオーバを実行する態様のメッセージ・フロー図の例である。
【図４】図４は、アクセス・ポイントのＣＳＧメンバシップに少なくとも部分的に基づいてハンドオーバを開始するための方法の態様のフロー・チャートである。
【図５】図５は、イントラＣＳＧハンドオーバにおいて、デバイスＣＳＧメンバシップ情報を通信する方法の態様のフロー・チャートである。
【図６】図６は、イントラＣＳＧハンドオーバを開始するための方法の態様のフロー・チャートである。
【図７】図７は、デバイスのアクセスのレベルを判定するために、ＣＳＧメンバシップ情報を検証するための方法の態様のフロー・チャートである。
【図８】図８は、イントラ（ＣＳＧ）ハンドオーバを実行するためのシステムの態様のブロック図である。
【図９】図９は、アクセス・ポイントのＣＳＧメンバシップに少なくとも部分的に基づいてハンドオーバを開始するためのシステムの態様のフロー・チャートである。
【図１０】図１０は、本明細書に記載されたさまざまな態様にしたがう無線通信システムの態様のブロック図である。
【図１１】図１１は、本明細書に記載されたさまざまなシステムおよび方法と共に適用されうる無線ネットワーク環境の態様の概要ブロック図である。
【図１２】図１２は、多くのデバイスをサポートするように構成され、本明細書に記載された態様が実施される無線通信システムの態様の概要図である。
【図１３】図１３は、ネットワーク環境内におけるフェムト・セルの配置を可能にする通信システムの態様の概要図である。
【図１４】図１４は、いくつかの定義されたトラッキング・エリアを有する有効通信範囲マップの態様の概要図である。
【発明を実施するための形態】
【００１５】
さまざまな態様が、図面を参照して記載される。以下の記載では、説明の目的のために、１または複数の態様の完全な理解を提供するために、多くの具体的な詳細が述べられる。しかしながら、このような態様は、これら具体的な詳細無しで実現されうることが明確である。
【００１６】
本明細書でさらに記載されるように、デバイスは、アクセス・ポイント間で通信される１または複数のハンドオーバ・メッセージを生成するために、デバイスのメンバシップ情報を利用することに少なくとも部分的に基づいて、制限グループに関連付けられたアクセス・ポイント間でハンドオーバされうる。一例では、ソース・アクセス・ポイントは、ターゲット・アクセス・ポイントが、同じ制限グループにあることを判定しうる。そのため、ターゲット・アクセス・ポイントへのデバイスのハンドオーバを開始するかを判定するために、ソース・アクセス・ポイントにおいてメンバシップ情報が検証されうる（例えば、ターゲット・アクセス・ポイントに関して受信された制限グループ情報と比較されうる）。別の例では、デバイスのメンバシップ情報が、ソース・アクセス・ポイントからハンドオーバを開始することの一部として、ターゲット・アクセス・ポイントへ提供されうる。何れの例でも、制限グループに関するメンバシップ情報が検証され、比較され、および／または、デバイスからのリソースを必要とすることなく、ソース・アクセス・ポイントとターゲット・アクセス・ポイントとの間で通信されうる。
【００１７】
本願で使用されるように、用語「構成要素」、「モジュール」、「システム」等は、ハードウェア、ファームウェア、ハードウェアとソフトウェアとの組み合わせ、ソフトウェア、あるいは実行中のソフトウェアのうちの何れかであるコンピュータ関連エンティティを含むことが意図されている。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピューティング・デバイス上で実行中のアプリケーションと、コンピューティング・デバイスとの両方が構成要素となりうる。１または複数の構成要素は、プロセスおよび／または実行スレッド内に存在し、構成要素は、１つのコンピュータに局在化されうるか、および／または、２つ以上のコンピュータに分散されうる。さらに、これらの構成要素は、格納されたさまざまなデータ構造を有するさまざまなコンピュータ読取可能な媒体から実行しうる。これら構成要素は、例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータのような１または複数のデータのパケットを有する信号にしたがって、ローカル処理および／またはリモート処理によって通信しうる。
【００１８】
さらに、本明細書では、さまざまな態様が、有線端末または無線端末でありうる端末に関連して開示される。端末は、システム、デバイス、加入者ユニット、加入者局、移動局、モバイル、モバイル・デバイス、遠隔局、遠隔端末、アクセス端末、ユーザ端末、端末、通信デバイス、ユーザ・エージェント、ユーザ・デバイス、またはユーザ機器（ＵＥ）とも称されうる。無線端末は、セルラ電話、衛星電話、コードレス電話、セッション開始プロトコル（ＳＩＰ）電話、無線ローカル・ループ（ＷＬＬ）局、携帯情報端末（ＰＤＡ）、無線接続機能を有するハンドヘルド・デバイス、コンピューティング・デバイス、あるいは、無線モデムに接続されたその他の処理デバイスでありうる。さらに、本明細書では、さまざまな態様が、基地局に関して記載される。基地局は、無線端末との通信のために利用され、アクセス・ポイント、ノードＢ、イボルブド・ノードＢ（ｅＮＢ）、あるいはその他いくつかの用語で称されうる。
【００１９】
さらに、用語「または」は、排他的な「または」ではなく、包括的な「または」を意味することが意図されている。すなわち、別に示されていない場合、あるいは、文脈から明らかではない場合、「ＸはＡまたはＢを適用する」という句は、自然な包括的な置き換えのうちの何れかを意味することが意図されている。すなわち、「ＸはＡまたはＢを使用する。」という句は、以下の例のうちの何れによっても満足される。ＸはＡを使用する。ＸはＢを使用する、あるいは、ＸはＡとＢとの両方を使用する。さらに、本願および特許請求の範囲で使用されているような冠詞“ａ”および“ａｎ”は、特に指定されていない場合、あるいは、単数を対象としていることが文脈から明らかではない場合、一般に、「１または複数」を意味するものと解釈されるべきである。
【００２０】
本明細書に記載された技術は、例えばＣＤＭＡ、ＴＤＭＡ、ＦＤＭＡ、ＯＦＤＭＡ、ＳＣ−ＦＤＭＡ、およびその他のシステムのようなさまざまな無線通信システムのために使用される。「システム」、「ネットワーク」という用語はしばしば置換可能に使用される。ＣＤＭＡネットワークは、例えば、ユニバーサル地上ラジオ・アクセス（ＵＴＲＡ）、ｃｄｍａ２０００等のようなラジオ技術を実現しうる。ＵＴＲＡは、広帯域ＣＤＭＡ（Ｗ−ＣＤＭＡ）およびＣＤＭＡのその他の変形を含んでいる。さらに、ｃｄｍａ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現しうる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現しうる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳのリリースである。ＵＴＲＡ、Ｅ−ＵＴＲＡ、ＵＭＴＳ、ＬＴＥ、およびＧＳＭは、「第３世代パートナシップ計画」（３ＧＰＰ）と命名された組織からの文書に記載されている。さらに、ｃｄｍａ２０００およびＵＭＢは、「第３世代パートナシップ計画２」（３ＧＰＰ２）と命名された組織からの文書に記載されている。さらに、このような無線通信システムは、しばしばアンペア（ｕｎｐａｉｒｅｄ）な無許可のスペクトルを用いるピア・トゥ・ピア（例えば、モバイル・トゥ・モバイル）アド・ホック・ネットワーク・システム、８０２ｘｘ無線ＬＡＮ、Ｂｌｕｅｔｏｏｔｈ（登録商標）、および、その他任意の短距離または長距離の無線通信技術を含みうる。
【００２１】
さまざまな態様または特徴が、多くのデバイス、構成要素、モジュール等を含むシステムの観点から示されるだろう。さまざまなシステムが、追加のデバイス、構成要素、モジュール等を含むことができるか、および／または、図面に関連して説明されたデバイス、構成要素、モジュール等の必ずしも全てを含んでいる訳ではないことが理解され、認識されるべきである。これらアプローチの組み合わせもまた使用されうる。
【００２２】
図１を参照して、サンプル通信システム１００のいくつかのノードが例示されている。例示目的のために、本開示のさまざまな態様が、互いに通信する１または複数のデバイスおよびアクセス・ポイントの文脈で説明される。しかしながら、本明細書における態様は、その他の専門用語を用いて参照されるその他のタイプの装置またはその他の類似の装置に適用可能でありうることが認識されるべきである。例えば、アクセス・ポイントは、基地局、ｅノードＢ（ｅＮＢ）、集合的にＨ（ｅ）ＮＢと称される（例えば、ＵＭＴＳにおける）ホーム・ノードＢまたは（例えばＬＴＥにおける）ホームｅＮＢ、フェムトセル・アクセス・ポイントまたはピコセル・アクセス・ポイント、モバイル基地局、中継ノード、ホット・スポット、ルータ、ゲートウェイ等として称されるかまたは実施されうる一方、デバイスは、ユーザ機器（ＵＥ）、モバイル・デバイス、アクセス端末、モデム（または、その他のテザー・デバイス）として称されるかまたは実施されうるか、これらの一部等でありうる。
【００２３】
デバイス１０２は、ソース・アクセス・ポイント１０４とのアイドル・モード通信またはアクティブ・モード通信によって、１または複数のサービス（例えば、ネットワーク接続）を受け取りうる。デバイス１０２は、システム１００のソース・アクセス・ポイント１０４、および／または、（例えば、ターゲット・アクセス・ポイント１０６のような）１または複数のその他のアクセス・ポイントによって提供される有効通信範囲エリア内に搭載されるか、および／または、有効通信範囲エリア中を移動する、有線または無線デバイスでありうる。例えば、さまざまな時点において、デバイス１０２は、システム１００内のソース・アクセス・ポイント１０４またはその他いくつかのアクセス・ポイント（例えば、ターゲット・アクセス・ポイント１０６）に有線または無線のインタフェースによって接続しうる。アクセス・ポイント１０４，１０６はさらに、例えばＸ２インタフェースのような無線または有線のバックホール・インタフェースを用いて互いに通信しうる。
【００２４】
例において、デバイス１０２は、ソース・アクセス・ポイント１０４と通信し、ターゲット・アクセス・ポイント１０５を再選択しうるか、ターゲット・アクセス・ポイント１０５へハンドオーバされうる。一例において、再選択またはハンドオーバは、ソース・アクセス・ポイント１０４からターゲット・アクセス・ポイント１０６へデバイス１０２の通信セッションを移動することを称しうる。これは、デバイス１０２のユーザに対して、シームレスになされうる。一例では、ハンドオーバは、次の動作のうちの１または複数を含みうる。デバイス１０２は、ソース・アクセス・ポイント１０４との通信セッションを設立しうる。デバイス１０２が、定期的に、１または複数のアクセス・ポイントから受信した１または複数の信号を測定し、信号で受信されたアクセス・ポイントの識別子、測定値、および／または、信号に基づくその他のパラメータを備える測定レポートを生成し、ソース・アクセス・ポイント１０４が、この測定レポートを受信しうる。さらに、ソース・アクセス・ポイント１０４は、例えばターゲット・アクセス・ポイント１０６のような別のアクセス・ポイントに関連する（例えば、信号対雑音比（ＳＮＲ）等のような）測定値が、少なくとも、ソース・アクセス・ポイント１０４の測定値に対するしきいレベル（例えば、ここで、しきい値は、相対的なしきい値、絶対的なしきい値等）であるか否かを判定し、もしそうであれば、ソース・アクセス・ポイント１０４は、ターゲット・アクセス・ポイント１０６へハンドオーバ・メッセージを送信しうる。ここで、ハンドオーバ・メッセージは、デバイス１０２に関連する少なくとも１つまたは複数のパラメータを含みうる。その後、ソース・アクセス・ポイント１０４は、デバイス１０２の通信セッションをハンドオーバすることに関連するコマンドまたはその他の通知をデバイス１０２へ送信しうる。この例では、ターゲット・アクセス・ポイント１０６は、ハンドオーバ・メッセージを受信し、デバイス１０２のためのコンテキストを確立して、通信セッションを継続しうる。そして、ハンドオーバ後、デバイス１０２から１または複数のメッセージを受信しうる。例において、再選択は、アイドル・モードにあるデバイスのために実行され、リロケーションすなわちハンドオーバは、アクティブ・モードにあるデバイスのために実行される類似の手順を称する。
【００２５】
いくつかの場合には、デバイス１０２は、無線セル・セットに関連付けられた制限グループ・アクセス・ポイント（例えば、ソース・アクセス・ポイント１０４およびターゲット・アクセス・ポイント１０６）にアクセスしうる。一般に、無線セル・セットは、定義された関係を有する（例えば、アクセス・ポイント１０４およびアクセス・ポイント１０６のような少なくとも１つのアクセス・ポイントによって提供される）１または複数のセルのセットを備える。無線セル・セットの一例は、クローズド加入者グループ（ＣＳＧ）である。便宜上、以下の説明は、より一般的な用語である無線セル・セットではなく、簡単にＣＳＧという用語を称しうる。しかしながら、記載された概念は、無線セルまたはその他類似のエンティティの定義されたグループ（制限グループ）またはセットのその他のタイプに適用可能でありうることが認識されるべきである。この点において、制限グループ・アクセス・ポイントは、非メンバ・デバイスへのアクセスを拒否しながら、制限グループのメンバであるデバイスへのアクセスを提供しうる。別の例では、制限グループ・アクセス・ポイントが、ハイブリッド・アクセス・モードで動作し、さらに、制限されたアクセス・レベルを非メンバに提供する。これもまた、本明細書で記載された態様が適合しうる。さらに、例えばアクセス・ポイント１０４および／またはアクセス・ポイント１０６は、デバイスがアクセス・ポイントと通信しうる１または複数のセルを提供しうる。したがって、例えば、ハイブリッド・アクセス・モードを有するアクセス・ポイントによって提供されるセルは、ハイブリッド・セルと称されうる。
【００２６】
例において、ソース・アクセス・ポイント１０４およびターゲット・アクセス・ポイント１０６は、（例えば、企業、リテール・センタ等において）同じＣＳＧに関連付けられうる。この点において、例えば、ソース・アクセス・ポイント１０４およびターゲット・アクセス・ポイント１０６は、（例えば、提供された１または複数のセルにおいて送信されるブロードキャスト信号において）同じＣＳＧ識別子を通知しうる。これは、（例えば、デバイス１０２のＣＳＧメンバシップに少なくとも部分的に基づいて）セル内のアクセス・ポイント１０４および／またはアクセス・ポイント１０６へ再選択するか否かを判定するために、デバイス１０２および／またはその他のデバイスによって取得され、利用されうる。さらに、例えば、ソース・アクセス・ポイント１０４および／またはターゲット・アクセス・ポイント１０６はおのおの、１または複数のセルのために、オープン・アクセス・モード、クローズド・アクセス・モード、または、ハイブリッド・アクセス・モード等を実施しうる。例において、デバイス１０２は、ソース・アクセス・ポイント１０４と通信しうる。そして、ソース・アクセス・ポイント１０４は、デバイス１０２をターゲット・アクセス・ポイント１０６にハンドオーバするか否かを判定しうる。記載されているように、ソース・アクセス・ポイント１０４とターゲット・アクセス・ポイント１０６は、同じＣＳＧに関連付けられているので、ソース・アクセス・ポイント１０４は、ターゲット・アクセス・ポイント１０６へのハンドオーバを開始する際に、例えば、デバイス１０２がメンバであるＣＳＧに関する情報のようなデバイス・メンバシップ情報１０８を利用しうる。
【００２７】
例えば、デバイス１０２が、クローズド・アクセス・モードを用いて提供されたセルにおけるソース・アクセス・ポイント１０４と通信しており、ターゲット・アクセス・ポイント１０６のセルへのデバイス１０２のハンドオーバが決定されると、ソース・アクセス・ポイント１０４は、ターゲット・アクセス・ポイント１０６が、ソース・アクセス・ポイント１０４と同じＣＳＧに関連付けられていると判定しうる。一例において、これは、ターゲット・アクセス・ポイント１０６によって通知された（例えば、測定レポート等でデバイス１０２から受信された）ＣＳＧ識別子を、ソース・アクセス・ポイント１０４によって通知されたＣＳＧ識別子と比較することに少なくとも部分的に基づいて判定されうる。さらに、例えば、ソース・アクセス・ポイント１０４は、デバイス１０２がＣＳＧのメンバであることを明示するデバイス・メンバシップ情報１０８を生成しうる。例えば、ソース・アクセス・ポイント１０４は、デバイス１０２からデバイス・メンバシップ情報１０８を受信すること、ソース・アクセス・ポイント１０４に関連するコア・ネットワーク（図示せず）によって以前に実行されたアクセス制御機能からデバイス・メンバシップ情報１０８を取得すること等のうちの少なくとも１つに少なくとも部分的に基づいて、デバイス・メンバシップ情報１０８を生成しうる。ソース・アクセス・ポイント１０４は、ターゲット・アクセス・ポイント１０６へハンドオーバ・メッセージ１１０を送信しうる。これは、デバイス・メンバシップ情報１０８を含みうる。ハンドオーバ・メッセージは、ハンドオーバ・メッセージ、リロケーション・メッセージ、および／または、デバイス１０２の通信を別のアクセス・ポイントへ移動させることに関連するための類似のメッセージでありうることが認識されるべきである。例えば、ターゲット・アクセス・ポイント１０６のセルがハイブリッド・セルである場合、ターゲット・アクセス・ポイント１０６は、セル内のデバイス１０２へメンバ・レベル・アクセスまたは非メンバ・レベル・アクセスを提供するかを判定するために、デバイス・メンバシップ情報１０８が、ハイブリッド・セルに関連付けられたＣＳＧへのメンバシップを含んでいるのかを検証しうる。
【００２８】
別の例では、デバイス１０２が、ハイブリッド・アクセス・モードを用いて提供されたセルにおけるソース・アクセス・ポイント１０４と通信する場合、ソース・アクセス・ポイント１０４は、（例えば、ターゲット・アクセス・ポイント１０６が、クローズド・アクセス・モードを提供する場合、）ターゲット・アクセス・ポイント１０６へのハンドオーバを開始するか否かを判定することの一部として、デバイス１０２がＣＳＧのメンバであるか否かを検証しうる。例えば、これは、記載されているように生成されうるか、および／または、（例えば、ＣＳＧメンバシップ・ステータスにおいて、または、モビリティ管理エンティティ（ＭＭＥ）またはその他のコア・ネットワーク・ノード等からの類似のメッセージで）１または複数のコア・ネットワーク・ノードから受信されうるデバイス・メンバシップ情報１０８を検証することと、ターゲット・アクセス・ポイント１０６のＣＳＧと比較して、デバイス１０２がこのＣＳＧにアクセスすることを許可されているのかを判定することと、を含みうる。許可されていると判定された場合、ソース・アクセス・ポイント１０４は、ターゲット・アクセス・ポイント１０６へハンドオーバ・メッセージ１１０を送信しうる。そうではない場合、ソース・アクセス・ポイント１０４は、ターゲット・アクセス・ポイント１０６が、クローズド・アクセス・モードで動作する場合、ハンドオーバを開始すること（例えば、ハンドオーバ・メッセージ１１０を送信すること）を控えうる。
【００２９】
図２に移って、イントラＣＳＧハンドオーバを容易にする無線通信システム２００の例が例示される。システム２００は、無線ネットワークへのアクセスを受信するために、１または複数のアクセス・ポイントと通信しうるデバイス２０２と、デバイス２０２および／または１または複数のその他のデバイスへ、制限されたアクセスを提供するソース・アクセス・ポイント２０４と、デバイス２０２がここから１または複数のブロードキャスト信号を受信しうるターゲット・アクセス・ポイント２０６とを含みうる。一例では、記載しているように、デバイス２０２は、ＵＥ、モデム（またはその他のテザー・デバイス）、これらの一部等であることができ、アクセス・ポイント２０４，２０６は、フェムト・セル、ピコセル、Ｈ（ｅ）ＮＢ、または類似のアクセス・ポイント、これらの一部等であることができる。さらに、ソース・アクセス・ポイント２０４およびターゲット・アクセス・ポイント２０６は、１または複数のデバイスへ、制限されたアクセスを提供しうる。さらに、図示していないが、ソース・アクセス・ポイント２０４およびターゲット・アクセス・ポイント２０６は、本明細書に記載されているような類似の機能を提供する類似の構成要素を備えうる。さらに、例えば、ソース・アクセス・ポイント２０４およびターゲット・アクセス・ポイント２０６は、Ｘ２または類似のインタフェースを用いて通信しうる。
【００３０】
デバイス２０２は、測定レポートを生成し、ソース・アクセス・ポイントへ送信するためのオプションの測定レポート通信構成要素２０８と、ソース・アクセス・ポイントからターゲット・アクセス・ポイントへ通信をハンドオーバすることに関連する１または複数の手順を実行するためのハンドオーバ構成要素２１０とを備えうる。ソース・アクセス・ポイント２０４は、ソース・アクセス・ポイント２０４のＣＳＧとの関連付けを示すためのＣＳＧ関連付け構成要素２１２と、ターゲット・アクセス・ポイントが同じまたは類似のＣＳＧに関連付けられているかを識別するためのＣＳＧ判定構成要素２１４とを備えうる。ソース・アクセス・ポイント２０４はさらに、ターゲット・アクセス・ポイントへデバイスの通信をハンドオーバすることに関連する１または複数の手順を実行するためのハンドオーバ構成要素２１６と、デバイスから１または複数の測定レポートを受信するためのオプションの測定レポート受信構成要素２１８とを備えうる。ターゲット・アクセス・ポイント２０６は、デバイスをソース・アクセス・ポイントからハンドオーバすることに関連する１または複数の手順を実行するためのハンドオーバ構成要素２２０とデバイスのＣＳＧメンバシップ情報を取得するためのオプションのメンバシップ情報受信構成要素２２２と、ＣＳＧメンバシップ情報に少なくとも部分的に基づいて、デバイスが、ターゲット・アクセス・ポイント２０６に関連付けられたＣＳＧのメンバであるか否かを判定するためのオプションのメンバシップ情報検証構成要素２２４とを備える。
【００３１】
例によれば、ＣＳＧ関連付け構成要素２１２は、ソース・アクセス・ポイント２０４のＣＳＧとの関連付けを示しうる。一例では、ＣＳＧ関連付け構成要素２１２は、送信機を用いて、１または複数の信号（例えば、システム情報ブロック・ブロードキャスト信号）で、ＣＳＧ識別子と、ＣＳＧアクセス・モード（例えば、クローズド、ハイブリッド等）を指定しうるアクセス・モード・インジケータ等をブロードキャストしうる。例において、ＣＳＧ関連付け構成要素２１２は、送信機を備えうる。別の例において、ＣＳＧ関連付け構成要素２１２は、ＣＳＧ関連付けを示す物理セル識別子（ＰＣＩ）をブロードキャスト信号に含め、ＣＳＧ関連付けを示すブロードキャスト信号を、一次スクランブリング符号（ＰＳＣ）にしたがってスクランブルする等を行いうる。さらに、ソース・アクセス・ポイント２０４は、デバイス２０２と通信し、デバイス２０２との間に無線ネットワーク・アクセスを提供しうる。一例では、ハンドオーバ構成要素２１６が、デバイス２０２の通信をターゲット・アクセス・ポイント２０６へハンドオーバすることを決定しうる。この例では、ターゲット・アクセス・ポイント２０６が、ソース・アクセス・ポイント２０４と同じまたは類似のＣＳＧに関連付けられているのかを、ＣＳＧ判定構成要素２１４が判定しうる。例えば、ＣＳＧ判定構成要素２１４は、ターゲット・アクセス・ポイント２０６に関連するＣＳＧ識別子を（例えば、デバイス２０２からの測定レポートで、ターゲット・アクセス・ポイント２０６からのシグナリングで、１または複数の他のデバイスからのシグナリングで）取得し、通知されたＣＳＧの識別子と比較しうる。
【００３２】
ターゲット・アクセス・ポイント２０６が同じＣＳＧに関連付けられているとＣＳＧ判定構成要素２１４が判定した場合、ハンドオーバ構成要素２１６は、デバイス２０２のために生成および／または格納されたＣＳＧメンバシップ情報２２６に少なくも部分的に基づいて、ターゲット・アクセス・ポイント２０６へのデバイス２０２のハンドオーバを開始しうる。例えば、これは、ソース・アクセス・ポイント２０４とターゲット・アクセス・ポイント２０６との間で、Ｘ２または類似のインタフェースによって、リロケーション要求またはハンドオーバ要求またはその他のメッセージを送信することを含みうる。さらに、例えば、ハンドオーバ構成要素２１６は、ターゲット・アクセス・ポイント２０６のアクセス・モードを判定し、さらにアクセス・モード（例えば、ハイブリッド、クローズド等）に少なくとも部分的に基づいて、ハンドオーバを開始しうる。例えば、ターゲット・アクセス・ポイント２０６がハイブリッド・アクセス・モードで通信している場合、ハンドオーバ構成要素２１６は、デバイス２０２がＣＳＧのメンバであるか否かを指定する、デバイス２０２に関するＣＳＧメンバシップ情報２２６を生成し、このＣＳＧメンバシップ情報２２６を、リロケーション要求またはハンドオーバ要求に含め、これによって、ターゲット・アクセス・ポイント２０６は、デバイス２０２へ提供するためのアクセスのレベルを決定しうる。ターゲット・アクセス・ポイント２０６が、クローズド・アクセス・モードで通信する場合、ハンドオーバ構成要素２１６は、ＣＳＧメンバシップ情報２２６に少なくとも部分的に基づいて、ハンドオーバを開始するか否かを判定しうる。
【００３３】
一例では、ハンドオーバ構成要素２１６は、デバイス２０２に関するＣＳＧメンバシップ情報２２６の少なくとも一部を生成しうる。例において、生成されたＣＳＧメンバシップ情報２２６は、例えば自動近隣リレーション（ＡＮＲ：automatic neighbor relation）、オペレーション、アドミニストレーション、マネジメント（ＯＡＭ）による設定等のような、受信されたターゲット・アクセス・ポイント２０６の識別子を用いて、セルフ・オーガナイジング・ネットワーク（ＳＯＮ）技術に少なくとも部分的に基づいて、ターゲット・アクセス・ポイント２０６のＣＳＧ識別子、ターゲット・アクセス・ポイント２０６のアクセス・モード・インジケータ等を含めうる。別の例では、ハンドオーバ構成要素２１６は、（例えば、測定レポートまたはその他によって、）デバイス２０２から、少なくとも、ターゲット・アクセス・ポイント２０６のＣＳＧ識別子を受信しうる。何れの場合であれ、ＣＳＧメンバシップ情報２２６は、記載されているように、ＣＳＧ識別子、（例えば、関連するセルにおける）ソース・アクセス・ポイント２０４および／またはターゲット・アクセス・ポイント２０６におけるアクセス・モード、デバイス２０２がＣＳＧのメンバであるか否かを示すインジケータ等を含みうる。一例では、ターゲット・アクセス・ポイント２０６のアクセス・モードは、（例えば、ターゲット・アクセス・ポイント２０６からブロードキャストされた信号で受信された、または、この信号から判定されたような、）ターゲット・アクセス・ポイント２０６に関連付けられたＰＳＣおよび／またはＰＣＩに少なくとも部分的に基づいて、デバイス２０２および／またはソース・アクセス・ポイント２０４によって判定されうる。
【００３４】
ターゲット・アクセス・ポイント２０６が、デバイス２０２がハンドオーバされるハイブリッド・セルを提供する場合、ハンドオーバ構成要素２１６は、記載されているように、ターゲット・アクセス・ポイント２０６へ送信されるハンドオーバ・メッセージに、ＣＳＧメンバシップ情報２２６を含めうる。メンバシップ情報受信構成要素２２２は、ハンドオーバ・メッセージから、ＣＳＧメンバシップ情報２２６を取得しうる。この例では、メンバシップ情報検証構成要素２２４は、ＣＳＧメンバシップ情報２２６に基づいて、デバイス２０２がＣＳＧのメンバであるか否かを判定しうる。例えば、メンバシップ情報検証構成要素２２４は、デバイス２０２がＣＳＧのメンバであることをＣＳＧメンバシップ情報２２６が示しているか否かを判定しうる。別の例では、メンバシップ情報検証構成要素２２４は、ＣＳＧメンバシップ情報２２６において指定されたＣＳＧ識別子が、ターゲット・アクセス・ポイント２０６によって通知されたＣＳＧ識別子と同じまたは類似していると判定しうる。同じまたは類似していると判定された場合には、何れかおよび／または両方の例において、ハンドオーバ構成要素２２０は、デバイス２０２へメンバ・レベル・アクセスを提供すると決定しうる。そうではない場合、ハンドオーバ構成要素２２０は、デバイス２０２へ非メンバ・レベル・アクセスを提供すると決定しうる。さらに別の例では、メンバシップ情報検証構成要素２２４は、デバイス２０２がＣＳＧのメンバであるかを判定するために、受信したＣＳＧメンバシップ情報２２６を、（例えば、ＭＭＥまたはその他のコア・ネットワーク構成要素から）受信されたデバイス２０２に関するＣＳＧメンバシップ・ステータスと比較しうる。
【００３５】
別の例では、ターゲット・アクセス・ポイント２０６がクローズド・アクセス・モードで通信している場合、ハンドオーバ構成要素２１６は、ＣＳＧメンバシップ情報２２６に少なくとも部分的に基づいて、デバイス２０２の通信をターゲット・アクセス・ポイント２０６へハンドオーバするか否かを判定しうる。例えば、ハンドオーバ構成要素２１６は、ＣＳＧメンバシップ情報２２６に少なくとも部分的に基づいて、デバイス２０２が、ソース・アクセス・ポイント２０４およびターゲット・アクセス・ポイント２０６によって通知されたＣＳＧのメンバであるかを検証しうる。記載されているように、ＣＳＧメンバシップ情報２２６は、デバイス２０２がソース・アクセス・ポイント２０４との接続を確立した場合、（例えば、ＭＭＥからのＣＳＧメンバシップ・ステータス、別のアクセス・ポイントからのハンドオーバ情報等として、）１または複数のネットワーク構成要素から受信されるか、１または複数のネットワーク構成要素から受信された情報に少なくとも部分的に基づいて生成されるか、デバイス２０２から受信された情報に少なくとも部分的に基づいて生成されるか等のうちの少なくとも１つでありうる。ハンドオーバ構成要素２１６が、ＣＳＧメンバシップ情報２２６に少なくとも部分的に基づいて、デバイス２０２がＣＳＧのメンバであると判定した場合、ハンドオーバ構成要素２１６は、デバイス２０２のターゲット・アクセス・ポイント２０６へのハンドオーバを開始しうる。しかしながら、デバイス２０２がＣＳＧのメンバではないとハンドオーバ構成要素２１６が判定した場合、ハンドオーバ構成要素２１６は、ターゲット・アクセス・ポイント２０６へのハンドオーバを開始することを控えうる。
【００３６】
前述されたさまざまな態様では、デバイス２０２は、リロケーションおよび／またはハンドオーバを容易にするために、ソース・アクセス・ポイント２０４へ測定レポートを通信しうる。例では、記載しているように、測定レポート通信構成要素２０８は、例えばソース・アクセス・ポイント２０４、ターゲット・アクセス・ポイント２０６、および／または、その他のアクセス・ポイントのような１または複数のアクセス・ポイントからデバイス２０２において受信された信号の測定値を備える測定レポートを定期的に生成しうる。例において、測定レポートは、ターゲット・アクセス・ポイント２０６および／またはその他のアクセス・ポイントに関連する、ＳＮＲ、ＣＳＧ識別子、アクセス・モード・インジケータ、アクセス・ポイント識別子（例えばＰＣＩ）等を含みうる。測定レポート構成要素２０８は、この測定レポートをソース・アクセス・ポイント２０４へ送信しうる。
【００３７】
この例において、測定レポート受信構成要素２１８は、測定レポートを取得し、ハンドオーバ構成要素２１６は、（例えば、ターゲット・アクセス・ポイント２０６のＳＮＲまたはその他のメトリックが、記載しているように、ソース・アクセス・ポイント２０４のものに対する、少なくとも相対的または絶対的なしきいレベルである場合、）この測定レポートに少なくとも部分的に基づいて、デバイス２０２の通信のハンドオーバのためのターゲット・アクセス・ポイント２０６を考慮すべきか否かを判定しうる。考慮すべきと判定された場合、ＣＳＧ判定構成要素２１４は、記載されているように、測定レポートに少なくとも部分的に基づいて、ターゲット・アクセス・ポイント２０６（例えば、および／または、関連するセル）のアクセス・モード・インジケータおよび／またはＣＳＧ識別子を判定し、ターゲット・アクセス・ポイント２０６が、ソース・アクセス・ポイント２０４によって通知されたＣＳＧのメンバであることを判定しうる。記載されているように、その後、ハンドオーバ構成要素２１６が、ターゲット・アクセス・ポイント２０６のアクセス・モード、ＣＳＧメンバシップ情報２２６等に少なくとも部分的に基づいて、デバイス２０２の通信のハンドオーバを開始しうる。一例では、ＣＳＧメンバシップ情報２２６は、測定レポートからの１または複数のパラメータを含みうる。
【００３８】
図３を参照して、イントラＣＳＧハンドオーバを容易にするためのシステム３００のメッセージ・フロー図の例が例示されている。システム３００は、ソースＲＡＮにアクセスするための１または複数のアクセス・ポイント（例えば、Ｈ（ｅ）ＮＢ等）でありうるか含みうる、ソース・ラジオ・アクセス・ネットワーク（ＲＡＮ）３０４と通信するＵＥ３０２を備える。システム３００はまた、Ｘ２インタフェースを介してソースＲＡＮ３０４とターゲットＲＡＮ３０８との間の通信を容易にするＸ２ゲートウェイ（ＧＷ）３０６をも備える。一例では、Ｘ２  ＧＷ３０６は、ソースＲＡＮ３０４が（例えば、Ｘ２  ＧＷ３０６を用いることなく、ダイレクトにＸ２インタフェースを用いて）ターゲットＲＡＮ３０８とダイレクトに通信できるように、オプションでありうることが認識されるべきである。さらに、例えば、記載されているように、ＵＥ３０２は、無線ネットワークへのアクセスを受け取るために、ソースＲＡＮ３０４と通信しうる。ＵＥ３０２は、リロケーション、ハンドオーバ等を実行するために、測定レポート３１０を生成し、ソースＲＡＮ３０４へ送信しうる。ソースＲＡＮ３０４は、測定レポート３１０を受信し、３１２において、ターゲットＲＡＮへのハンドオーバを決定しうる。記載されているように、これは、ターゲットＲＡＮが、（例えば、ＳＮＲ等のように）ソースＲＡＮ３０４におけるラジオ条件に対して、少なくとも相対的または絶対的なしきいレベルであるラジオ条件を有していると判定することを含みうる。
【００３９】
さらに、例えば、ソースＲＡＮ３０４は、３１４において、ターゲットＲＡＮが、ソースＲＡＮ３０４のＣＳＧにあると判定しうる。ソースＲＡＮ３０４は、記載しているように、例えばこの判定に基づいて、ターゲットＲＡＮ３０８へのハンドオーバを開始するためのさらなる判定を行いうる。例において、ソースＲＡＮ３０４は、オプションで、３１６において、ターゲットＲＡＮ３０８のアクセス・モード（例えば、ハイブリッド・アクセス・モード、クローズド・アクセス・モード等）を判定しうる。例えば、アクセス・モードが、クローズド・アクセス・モードであると判定された場合、ソースＲＡＮ３０４はさらにオプションで、３１８において、ＵＥ３０２がＣＳＧのメンバであることを判定しうる。ステップのシーケンスとして示されているが、３１２において、ターゲットＲＡＮへのハンドオーバを決定すること、３１４において、ターゲットＲＡＮがＣＳＧにあると判定すること、３１６において、ターゲットＲＡＮのアクセス・モードを判定すること、および、３１８において、ＵＥがＣＳＧのメンバであると判定することは、記載されているように、ＵＥ３０２をハンドオーバさせるか、および／または、ＵＥ３０２をどのようにハンドオーバさせるかを決定する際には、別の順序で生じうることが認識されるべきである。したがって、この例では、記載されているように、ソースＲＡＮ３０４は、リロケーション／ハンドオーバ要求３２０を送信することによって、ターゲットＲＡＮ３０８へのリロケーション／ハンドオーバを開始しうる。例えば、ＵＥがＣＳＧのメンバではないと判定された場合、ソースＲＡＮ３０４は、リロケーション／ハンドオーバ要求３２０を送信することを控えうる。
【００４０】
Ｘ２  ＧＷ３０６は、このリロケーション／ハンドオーバ要求３２０を取得し、リロケーション／ハンドオーバ要求３２２をターゲットＲＡＮ３０８へ転送しうる。ターゲットＲＡＮ  ３０８は、Ｘ２  ＧＷ３０６にリロケーション／ハンドオーバ要求アクノレッジメント３２４を送信しうる。Ｘ２  ＧＷ３０６は、リロケーション／ハンドオーバ要求アクノレッジメント３２６をソースＲＡＮ３０４へ転送しうる。例えば、記載されているように、ターゲットＲＡＮ３０８は、例えば、ＵＥ３０２がリロケーション／ハンドオーバを容易にするために、コンテキスト等を生成しうる。別の例では、記載されているように、ソースＲＡＮ３０４は、３１６において、ターゲットＲＡＮのアクセス・モードがハイブリッド・アクセス・モードであると判定すると、リロケーション／ハンドオーバ要求３２０に、ＵＥ３０２に関連するＣＳＧメンバシップ情報を含めうる。したがって、ターゲットＲＡＮ  ３０８は、前述したように、ＵＥ３０２がＣＳＧのメンバであることを検証して、メンバ・レベル・アクセスまたは非メンバ・レベル・アクセスを提供するのかを決定する。
【００４１】
図４−７に示すように、イントラＣＳＧハンドオーバを提供することに関連する方法の例が例示される。説明を単純にする目的で、これら方法は、一連の動作として示され説明されているが、これら方法は、１または複数の実施形態にしたがって、いくつかの動作が本明細書で示され記載されたものとは異なる順序で、あるいは他の動作と同時に生じうるので、動作の順序によって限定されないことが理解され認識されるべきである。例えば、方法は代わりに、例えば状態図におけるように、一連の相互関連する状態またはイベントとして表されうることが認識されるべきである。さらに、１または複数の実施形態にしたがって方法を実現するために、必ずしも例示されたすべての動作が必要とされる訳ではない。
【００４２】
図４に示すように、類似のＣＳＧ内のセルへのハンドオーバの開始を容易にする方法４００の例が図示される。４０２では、ＣＳＧとの関連付けを通知する信号が送信されうる。前述したように、これは、ＣＳＧの識別子、アクセス・モード・インジケータ等を含む信号をブロードキャストすることを含みうる。４０４では、ターゲット・セルがＣＳＧに関連付けられているかが判定される。例えば、これは、記載しているように、検証されうるＣＳＧ識別子等を含みうるターゲット・セルへの可能なハンドオーバを示すインジケーションを（例えば、デバイスから受信した測定レポート等によって）受信することに少なくとも部分的に基づいて判定されうる。４０６では、ターゲット・セルがＣＳＧに関連付けられているか否かに少なくとも部分的に基づいて、ターゲット・セルを提供するターゲット・アクセス・ポイントへのデバイスのハンドオーバが開始されうる。記載されているように、ハンドオーバは、Ｘ２インタフェースを介して開始されることができ、ターゲット・セルにおけるアクセス・モードを判定することに少なくとも部分的に基づいてハンドオーバを開始することと、アクセス・モードに基づいて、ハンドオーバを開始することに関連する１または複数のメッセージで、デバイスのＣＳＧメンバシップ情報をターゲット・アクセス・ポイントへ提供すること等を含みうる。
【００４３】
図５に移って、類似のＣＳＧにおけるハイブリッド・セルへのハンドオーバを開始するための方法５００の例が例示される。５０２では、特定のＣＳＧのメンバであるハイブリッド・セルへデバイスの通信をハンドオーバすることが決定される。記載されているように、例えば、特定のＣＳＧは、１または複数のブロードキャスト信号で通知されたＣＳＧに類似しうる。さらに、例えば、デバイスから受信された測定レポートに少なくとも部分的に基づいて、デバイスの通信をハンドオーバすることが決定されうる。さらに、記載されているように、測定レポートは、ＣＳＧの識別子を含みうる。これは、通知されたＣＳＧと比較されうる。５０４では、デバイスに関連するＣＳＧメンバシップ情報が取得されうる。例えば、これは、デバイスから受信した情報、コア・ネットワークから受信したＣＳＧメンバシップ・ステータス、ハイブリッド・セルを提供するアクセス・ポイントに関するＣＳＧメンバシップ情報を取得するための１または複数のＳＯＮ技術等に少なくとも部分的に基づいてＣＳＧメンバシップ情報を決定することを含みうる。５０６では、ＣＳＧメンバシップ情報は、ハンドオーバを開始するために、ハイブリッド・セルを提供するアクセス・ポイントへ通信されうる。例えば、ＣＳＧメンバシップ情報は、（例えば、リロケーション／ハンドオーバ要求で、）Ｘ２インタフェースを介して通信されることができ、デバイスが、示されたＣＳＧのメンバであるか否かを明示するインジケータ等を含みうる。ターゲット・アクセス・ポイントは、記載されているように、ハイブリッド・セル内のデバイスに、メンバ・レベルを提供するか、または、非メンバ・レベルを提供するかを判定するために、この情報（例えば、および／または、その他の情報）を利用しうる。
【００４４】
図６を参照して、類似のＣＳＧにおけるクローズド・セルへのハンドオーバを開始するための方法６００の例が示されている。６０２では、特定のＣＳＧのメンバであるクローズド・セルへ、デバイスの通信をハンドオーバすることが決定されうる。記載されているように、例えば、特定のＣＳＧは、１または複数のブロードキャスト信号において通知されたＣＳＧに類似しうる。さらに、例えば、デバイスから受信された測定レポートに少なくとも部分的に基づいて、デバイスの通信をハンドオーバすることが決定されうる。さらに、記載されているように、測定レポートは、ＣＳＧの識別子を含みうる。これは、通知されたＣＳＧと比較されうる。６０４では、デバイスがＣＳＧのメンバであることが判定されうる。例えば、これは、記載されているように、以前にデバイスに許可されたアクセスに基づいてこれを仮定することと、デバイスのために受信されたＣＳＧメンバシップ・ステータスを検証すること等を含みうる。６０６では、クローズド・セルを提供するアクセス・ポイントへのハンドオーバが開始されうる。これは、デバイスがＣＳＧのメンバであると判定することに基づく。記載されているように、例えば、ターゲット・アクセス・ポイントへのハンドオーバが、Ｘ２インタフェースを介して開始されうる。
【００４５】
図７に移って、デバイスに提供するアクセス・レベルを決定するための方法７００の例が例示される。７０２では、少なくともＣＳＧ識別子を備えるハンドオーバ・メッセージが受信されうる。例えば、このハンドオーバ・メッセージは、Ｘ２インタフェースを介してソース・アクセス・ポイントから受信されることができ、リロケーション／ハンドオーバ要求等でありうる。７０４では、ハンドオーバ・メッセージに含まれたＣＳＧメンバシップ情報に少なくとも部分的に基づいて、デバイスがＣＳＧのメンバであるか否かが判定されうる。例えば、ＣＳＧメンバシップ情報は、デバイスがＣＳＧのメンバであるか否かを示すインジケータを含みうる。７０６では、ＣＳＧメンバシップ情報に少なくとも部分的に基づいて、デバイスへ提供するサービス・レベルが判定されうる。したがって、例えば、記載されているように、ハイブリッド・セルが提供されうる。そして、デバイスは、ＣＳＧメンバシップ情報に基づいて、メンバ・レベル・アクセスまたは非メンバ・レベル・アクセスを許可されうる。
【００４６】
本明細書に記載された１または複数の態様によれば、推論は、記載されているように、デバイス・メンバシップ情報を判定すること、デバイスがＣＳＧのメンバであるか否かを判定すること等、に関してなされうることが認識されるだろう。本明細書で使用されるように、「推論する」または「推論」なる用語は一般に、イベントおよび／またはデータによって取得されたような観察のセットから、システム、環境、および／または、ユーザの状態の推論あるいはそれらに関連する推理のプロセスを称する。推論は、特定の文脈または動作を識別するために適用されるか、あるいは、例えば状態にわたる確率分布を生成しうる。推論は、確率論的、すなわち、データおよびイベントの考慮に基づいて、該当する状態にわたる確率分布を計算することでありうる。推論はまた、イベントおよび／またはデータのセットから、より高いレベルのイベントを構築するために適用される技術を称することができる。このような推論によって、イベントが時間的に近接していようといまいと、これらイベントおよびデータが１またはいくつかのイベント・ソースおよびデータ・ソースに由来していようと、観察されたイベントおよび／または格納されたイベント・データのセットから、新たなイベントまたは動作を構築することができる。
【００４７】
図８は、無線通信を用いて、１または複数のデバイスとの通信を容易にするシステム８００の例示である。システム８００は、（例えば、記載されているように、複数のネットワーク技術のものでありうる）複数の受信アンテナ８０６を介して１または複数のモバイル・デバイス８０４から信号（単数または複数）を受信する受信機８１０と、（例えば、記載されているように、複数のネットワーク技術のものでありうる）複数の送信アンテナ８０８を介して１または複数のモバイル・デバイス８０４へ送信する送信機８３２とを有する、実質的に任意の基地局（例えば、フェムト・セル、ピコセル、マクロ・セル等のような小規模の基地局や、移動基地局）やリレー等でありうる基地局８０２を備える。さらに、一例において、送信機８３２は、有線フロント・リンクを介してモバイル・デバイス８０４へ送信しうる。受信機８１０は、１または複数の受信アンテナ８０６から情報を受信しうる。さらに、受信した情報を復調する復調器８１２と動作可能に関連付けられている。さらに、例において、受信機８１０は、有線バックホール・リンクから受信しうる。復調されたシンボルは、プロセッサ８１４によって分析される。プロセッサ８１４は、受信機８１０によって受信された情報の分析、および／または、送信機８３２による送信のための情報の生成に特化されたプロセッサ、基地局８０２の１または複数の構成要素を制御するプロセッサ、および／または、受信機８１０によって受信された情報の分析と、送信機８３２による送信のための情報の生成と、基地局８０２の１または複数の構成要素の制御との両方を行うプロセッサでありうる。
【００４８】
基地局８０２はさらに、プロセッサ８１４に動作可能に接続されたメモリ８１６を備えうる。このメモリは、送信されるべきデータや、受信したデータや、利用可能なチャネルに関連する情報や、分析された信号および／または干渉強度に関連付けられたデータや、割り当てられたチャネル、電力、レート等に関連する情報や、本明細書に記載されたさまざまな態様のために適切なその他任意の情報（例えば、ＣＳＧメンバシップ情報等）を格納しうる。メモリ８１６はさらに、（例えば、イントラＣＳＧハンドオーバ等を実行する）本明細書に記載された態様に関連付けられたプロトコルおよび／またはアルゴリズムを格納しうる。
【００４９】
例えば、データ・ストアでありうる本明細書に記載されたメモリ８１６は、揮発性メモリか不揮発性メモリの何れかであるか、揮発性メモリと不揮発性メモリとの両方を含みうることが認識されるだろう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ（登録商標））のような多くの形態で利用可能である。主題となるシステムおよび方法のメモリ８１６は、限定される訳ではないが、これらおよびその他任意の適切なタイプのメモリを備えることが意図される。
【００５０】
プロセッサ８１４はさらに、オプションとして、ＣＳＧ関連付け構成要素２１２に類似しうるＣＳＧ関連付け構成要素８１８と、ＣＳＧ判定構成要素２１４に類似しうるＣＳＧ判定構成要素８２０と、および／または、ハンドオーバ構成要素２１６および／またはハンドオーバ構成要素２２０に類似しうるハンドオーバ構成要素８２２とに接続される。プロセッサ８１４さらに、オプションとして、測定レポート受信構成要素２１８に類似しうる測定レポート受信構成要素８２４と、メンバシップ情報受信構成要素２２２に類似しうるメンバシップ情報受信構成要素８２６と、および／または、メンバシップ情報検証構成要素２２４に類似しうるメンバシップ情報検証構成要素８２８とに接続されうる。
【００５１】
さらに、例えば、プロセッサ８１４は、送信される信号を、変調器８３０を用いて変調し、変調された信号を、送信機８３２を用いて送信しうる。送信機８３２は、Ｔｘアンテナ８０８を介してモバイル・デバイス８０４へ信号を送信しうる。さらに、プロセッサ８１４と別に示されているが、ＣＳＧ関連付け構成要素８１８、ＣＳＧ判定構成要素８２０、ハンドオーバ構成要素８２２、測定レポート受信構成要素８２４、測定情報受信構成要素８２６、測定情報検証構成要素８２８、復調器８１２、および／または、変調器８３０は、プロセッサ８１４または複数のプロセッサ（図示せず）の一部であることができ、および／または、プロセッサ８１４による実行のために、メモリ８１６内に命令として格納されうることが認識されるべきである。
【００５２】
図９を参照して、イントラＣＳＧハンドオーバを開始するシステム９００が例示される。例えば、システム９００は、基地局、モバイル・デバイス等の中に少なくとも部分的に存在しうる。システム９００は、プロセッサ、ソフトウェア、またはそれらの組み合わせ（例えば、ファームウェア）によって実現される機能を表す機能ブロックでありうる機能ブロックを含むものとして示されることが認識されるべきである。システム９００は、連携して動作しうる電子構成要素の論理グループ９０２を含む。例えば、論理グループ９０２は、ＣＳＧとの関連付けを通知する信号を送信するための電子構成要素９０４を含みうる。記載されているように、これは、ＣＳＧの識別子、アクセス・モードのインジケータ等を備える１または複数のブロードキャスト信号を送信することを含みうる。さらに、論理グループ９０２は、ターゲット・セルがＣＳＧに関連付けられているか否かを判定するための電子構成要素９０６を備えうる。
【００５３】
例えば、ＣＳＧの識別子は、デバイスからの測定レポートで、ターゲット・セルからの信号で、コア・ネットワーク構成要素からの情報等で受信されうる。そして、電子構成要素９０６は、この識別子を、通知されたＣＳＧの識別子と比較しうる。さらに、論理グループ９０２は、ターゲット・セルがＣＳＧに関連付けられていることを判定することに少なくとも部分的に基づいて、ターゲット・セルを提供するターゲット・アクセス・ポイントへのデバイスのハンドオーバを開始するための電子構成要素９０８を含みうる。記載されているように、これは、デバイスがＣＳＧのメンバであるか否かに基づいてハンドオーバを開始すること、ハンドオーバを開始する際に、ＣＳＧメンバシップ情報を含めること等のうちの少なくとも１つを含みうる。
【００５４】
例えば、電子構成要素９０４は、前述したように、ＣＳＧ通知構成要素２１２を含みうる。さらに、例えば、電子構成要素９０６は、態様において、前述したように、ＣＳＧ判定構成要素２１４を含みうる。さらに、記載されるように、電子構成要素９０８は、ハンドオーバ構成要素２１６を含みうる。さらに、システム９００は、電子構成要素９０４，９０６，９０８に関連付けられた機能を実行するための命令群を保持するメモリ９１０を含みうる。メモリ９１０の外側にあるとして示されているが、電子構成要素９０４，９０６，９０８のうちの１または複数は、メモリ９１０内に存在しうることが理解されるべきである。
【００５５】
一例において、電子構成要素９０４，９０６，９０８は、少なくとも１つのプロセッサを備えうる。または、電子構成要素９０４，９０６，９０８おのおのは、少なくとも１つのプロセッサの対応するモジュールでありうる。さらに、追加または代替の例において、電子構成要素９０４，９０６，９０８は、コンピュータ読取可能な媒体を備えるコンピュータ・プログラム製品でありうる。ここで、おのおのの電子構成要素９０４，９０６，９０８は、対応するコードでありうる。
【００５６】
図１０に示すように、本明細書に記載されたさまざまな実施形態にしたがった無線通信システム１０００が例示されている。システム１０００は、複数のアンテナ・グループを含むことができる基地局１００２を含む。例えば、１つのアンテナ・グループは、アンテナ１００４およびアンテナ１００６を含み、別のグループはアンテナ１００８およびアンテナ１０１０を備え、さらに別のグループはアンテナ１０１２およびアンテナ１０１４を含みうる。おのおののアンテナ・グループについて２本のアンテナしか例示されていないが、２本より多いアンテナ、または２本より少ないアンテナも、各グループのために利用されうる。基地局１００２はさらに、送信機チェーンおよび受信機チェーンを含みうる。これらおのおのは、当業者によって理解されるように、信号の送信および受信に関連する複数の構成要素（例えば、プロセッサ、変調器、マルチプレクサ、復調器、デマルチプレクサ、アンテナなど）を備えうる。
【００５７】
基地局１００２は、例えばモバイル・デバイス１０１６およびモバイル・デバイス１０２２のような１または複数のモバイル・デバイスと通信しうる。しかしながら、基地局１００２は、モバイル・デバイス１０１６およびモバイル・デバイス１０２２に類似した実質的に任意の数のモバイル・デバイスと通信しうることが理解されるべきである。モバイル・デバイス１０１６，１０２２は例えば、セルラ電話、スマート・フォン、ラップトップ、ハンドヘルド通信デバイス、ハンドヘルド・コンピューティング・デバイス、衛星ラジオ、全地球測位システム、ＰＤＡ、および／または、無線通信システム１０００を介して通信するのに適切なその他任意のデバイスでありうる。図示するように、モバイル・デバイス１０１６は、アンテナ１０１２，１０１４と通信している。ここで、アンテナ１０１２，１０１４は、順方向リンク１０１８によってモバイル・デバイス１０１６へ情報を送信し、逆方向リンク１０２０によってモバイル・デバイス１０１６から情報を受信する。さらに、モバイル・デバイス１０２２はアンテナ１００４，１００６と通信している。ここで、アンテナ１００４，１００６は、順方向リンク１０２４でモバイル・デバイス１０２２へ情報を送信し、逆方向リンク１０２６でモバイル・デバイス１０２２から情報を受信する。周波数分割デュプレクス（ＦＤＤ）システムでは、例えば、順方向リンク１０１８は、逆方向リンク１０２０によって使用されるものとは異なる周波数帯域を使用し、順方向リンク１０２４は、逆方向リンク１０２６によって使用されるものとは異なる周波数帯域を使用しうる。さらに、時分割デュプレクス（ＴＤＤ）システムでは、順方向リンク１０１８および逆方向リンク１０２０は、共通の周波数帯域を使用し、順方向リンク１０２４および逆方向リンク１０２６は、共通の周波数帯域を使用しうる。
【００５８】
通信するように指定された領域および／またはアンテナのおのおののグループは、基地局１００２のセクタと称されうる。例えば、基地局１００２によってカバーされる領域のセクタ内のアクセス端末に通信するように、複数のアンテナが設計されうる。順方向リンク１０１８，１０２４による通信では、基地局１００２の送信アンテナは、モバイル・デバイス１０１６，１０２２の順方向リンク１０１８，１０２４の信号対雑音比を改善するためにビームフォーミングを利用しうる。また、基地局１００２が、関連付けられた有効通信範囲にランダムに散在したモバイル・デバイス１０１６，１０２２に送信するためにビームフォーミングを利用している間、近隣セル内のモバイル・デバイスは、すべてのモバイル・デバイスに対して単一のアンテナによって送信している基地局に比べて、少ない干渉しか被らない。さらに、モバイル・デバイス１０１６，１０２２は、図示するように、ピア・トゥ・ピアまたはアド・ホック技術を用いて互いにダイレクトに通信しうる。例によれば、システム１０００は、複数入力複数出力（ＭＩＭＯ）通信システムでありうる。
【００５９】
図１１は、無線通信システム１１００の例を示す。無線通信システム１１００は、簡潔さの目的で、１つの基地局１１１０と１つのモバイル・デバイス１１５０とを示している。しかしながら、システム１１００は、１より多い基地局、および／または、１より多いモバイル・デバイスを含むことができ、これら追加の基地局および／またはモバイル・デバイスは、以下に説明する基地局１１１０およびモバイル・デバイス１１５０の例と実質的に同じでも、別のものでもありうることが認識されるべきである。それに加えて、基地局１１１０および／またはモバイル・デバイス１１５０は、本明細書に記載されたシステム（図１−３、図９−１０）、方法（図４−７）、および／または、モバイル・デバイス（図８）を用いて、その間の無線通信を容易にする。例えば、本明細書に記載されたシステムおよび／または方法の構成要素または機能は、以下に記載されたメモリ１１３２および／またはメモリ１１７２あるいはプロセッサ１１３０および／またはプロセッサ１１７０の一部となることができ、および／または、開示された機能を実行するために、プロセッサ１１３０および／または１１７０によって実行されうる。
【００６０】
基地局１１１０では、多くのデータ・ストリームのためのトラフィック・データが、データ・ソース１１１２から送信（ＴＸ）データ・プロセッサ１１１４へ提供される。例によれば、おのおののデータ・ストリームが、それぞれのアンテナを介して送信される。ＴＸデータ・プロセッサ１１１４は、トラフィック・データ・ストリームをフォーマットし、このデータ・ストリームのために選択された特定の符号化スキームに基づいて符号化し、インタリーブして、符号化されたデータを提供する。
【００６１】
おのおののデータ・ストリームの符号化されたデータは、直交周波数分割多重化（ＯＦＤＭ）技術を用いてパイロット・データと多重化されうる。さらに、あるいは、この代わりに、パイロット・シンボルは、周波数分割多重化（ＦＤＭ）、時分割多重化（ＴＤＭ）、あるいは符号分割多重化（ＣＤＭ）されうる。パイロット・データは一般に、既知の方法で処理される既知のデータ・パターンであり、チャネル応答を推定するためにモバイル・デバイス１１５０において使用されうる。おのおののデータ・ストリームについて多重化されたパイロットおよび符号化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供されうる。おのおののデータ・ストリームのデータ・レート、符号化、および変調は、プロセッサ１１３０によって実行または提供される指示によって決定されうる。
【００６２】
データ・ストリームの変調シンボルは、（例えば、ＯＦＤＭのために）変調シンボルを処理するＴＸ  ＭＩＭＯプロセッサ１１２０に提供される。ＴＸ  ＭＩＭＯプロセッサ１１２０は、その後、ＮＴ個の変調シンボル・ストリームを、ＮＴ個の送信機（ＴＭＴＲ）１１２２ａ乃至１１２２ｔへ提供する。さまざまな実施形態において、ＴＸ  ＭＩＭＯプロセッサ１１２０は、データ・ストリームのシンボル、および、そのシンボルが送信されるアンテナへ、ビームフォーミング重みを適用する。
【００６３】
おのおのの送信機１１２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機１１２２ａ乃至１１２２ｔからのＮＴ個の変調信号が、ＮＴ個のアンテナ１１２４ａ乃至１１２４ｔから送信される。
【００６４】
モバイル・デバイス１１５０では、送信された変調信号が、ＮＲ個のアンテナ１１５２ａ乃至１１５２ｒによって受信され、各アンテナ１１５２から受信された信号が、それぞれの受信機（ＲＣＶＲ）１１５４ａ乃至１１５４ｒへと提供される。おのおのの受信機１１５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００６５】
ＲＸデータ・プロセッサ１１６０は、ＮＲ個の受信機１１５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ１１６０は、検出されたおのおののシンボル・ストリームを復調し、デインタリーブし、復号して、そのデータ・ストリームのためのトラフィック・データを復元する。ＲＸデータ・プロセッサ１１６０による処理は、基地局１１１０におけるＴＸ  ＭＩＭＯプロセッサ１１２０およびＴＸデータ・プロセッサ１１１４によって実行されるものと相補的である。
【００６６】
逆方向リンク・メッセージは、通信リンクおよび／または受信されたデータ・ストリームに関するさまざまなタイプの情報を備えうる。逆方向リンク・メッセージは、データ・ソース１１３６から多くのデータ・ストリームのトラフィック・データをも受け取るＴＸデータ・プロセッサ１１３８によって処理され、変調器１１８０によって変調され、送信機１１５４ａ乃至１１５４ｒによって調整され、基地局１１１０へと送り返される。
【００６７】
基地局１１１０では、モバイル・デバイス１１５０からの変調信号が、アンテナ１１２４によって受信され、受信機１１２２によって調整され、復調器１１４０によって復調され、ＲＸデータ・プロセッサ１１４２によって処理されることにより、モバイル・デバイス１１５０によって送信された逆方向リンク・メッセージが抽出される。さらに、プロセッサ１１３０は、ビームフォーミング重みを決定するためにどのプリコーディング行列を使用するかを決定するために、この抽出されたメッセージを処理する。
【００６８】
プロセッサ１１３０およびプロセッサ１１７０は、基地局１１１０およびモバイル・デバイス１１５０それぞれにおける動作を指示（例えば、制御、調整、管理等）する。プロセッサ１１３０およびプロセッサ１１７０はそれぞれ、プログラム・コードおよびデータを格納するメモリ１１３２およびメモリ１１７２に関連付けられうる。プロセッサ１１３０およびプロセッサ１１７０はまた、アップリンクおよびダウンリンクそれぞれのための周波数およびインパルス応答推定値を導出する計算をも実行する。
【００６９】
図１２は、多くのユーザをサポートするように構成され、本明細書に記載された教示が実施される無線通信システム１２００を例示する。このシステム１２００は、例えばマクロ・セル１２０２Ａ−１２０２Ｇのような複数のセル１２０２のための通信を提供する。ここで、各セルは、対応するアクセス・ノード１２０４（例えば、アクセス・ノード１２０４Ａ−１２０４Ｇ）によってサービス提供される。図１２に示すように、アクセス端末１２０６（例えば、アクセス端末１２０６Ａ−１２０６Ｌ）は、時間にわたって、システム中のさまざまな位置に分布しうる。アクセス端末１２０６はおのおのの、例えば、アクセス端末１２０６がアクティブであるか、および、ソフト・ハンドオフにあるかに依存して、所与の時間において、順方向リンク（ＦＬ）および／または逆方向リンク（ＲＬ）で、１または複数のアクセス・ノード１２０４と通信しうる。無線通信システム１２００は、広い地理的領域にわたってサービスを提供しうる。
【００７０】
図１３は、ネットワーク環境において、１または複数のフェムト・ノードがネットワーク環境内に配置されている典型的な通信システム１３００を例示する。具体的には、システム１３００は、（例えば、１または複数のユーザ住宅１３３０内のような）比較的小規模スケールのネットワーク環境に搭載された複数のフェムト・ノード１３１０Ａ，１３１０Ｂ（例えば、フェムト・ノードまたはＨ（ｅ）ＮＢ）を含む。おのおののフェムト・ノード１３１０は、デジタル加入者ライン（ＤＳＬ）ルータ、ケーブル・モデム、無線リンク、またはその他の接続手段（図示せず）を経由して、広域ネットワーク１３４０（例えば、インターネット）およびモバイル・オペレータ・コア・ネットワーク１３５０に接続されうる。以下に説明するように、おのおののフェムト・ノード１３１０は、関連付けられたアクセス端末１３２０（例えば、アクセス端末１３２０Ａ）と、オプションとして、外部アクセス端末１３２０（例えば、アクセス端末１３２０Ｂ）にサービス提供するように構成されうる。言い換えれば、フェムト・ノード１３１０へのアクセスが制限され、これによって、所与のアクセス端末１３２０が、指定された（例えば、住宅のような）フェムト・ノード（単数または複数）１３１０のセットによってサービス提供されうるが、指定されていないフェムト・ノード１３１０（例えば、近隣のフェムト・ノード）によってサービス提供されないようになる。
【００７１】
図１４は、おのおのがいくつかのマクロ有効通信範囲エリア１４０４を含むいくつかのトラッキング・エリア１４０２（または、ルーティング・エリアあるいはロケーション・エリア）が定義された有効通信範囲マップ１４００の例を示す。ここでは、トラッキング・エリア１４０２Ａ、１４０２Ｂ、１４０２Ｃに関連付けられた有効通信範囲のエリアが、太線で示され、マクロ有効通信範囲エリア１４０４が、六角形によって示されている。トラッキング・エリア１４０２は、フェムト有効通信範囲エリア１４０６をも含んでいる。この例において、フェムト有効通信範囲エリア１４０６（例えば、フェムト有効通信範囲エリア１４０６Ｃ）のおのおのは、マクロ有効通信範囲エリア１４０４（例えば、マクロ有効通信範囲エリア１４０４Ｂ）内に示されている。しかしながら、フェムト有効通信範囲エリア１４０６は、マクロ有効通信範囲エリア１４０４内に全体的に位置していなくても良いことが認識されるべきである。実際、フェムト有効通信範囲領域１４０６の大部分は、トラッキング領域１４０２またはマクロ有効通信範囲領域１４０４内に規定されうる。さらに、１または複数のピコ有効通信範囲領域（図示せず）は、所与のトラッキング領域１４０２またはマクロ有効通信範囲領域１４０４内に規定されうる。
【００７２】
図１３に再び示すように、フェムト・ノード１３１０の所有者は、モバイル・オペレータ・コア・ネットワーク１３５０を通じて提供された、例えば３Ｇモバイル・サービスのようなモバイル・サービスに申し込みうる。さらに、アクセス端末１３２０は、マクロ環境と、（例えば、住宅のような）小規模なネットワーク環境との両方において、動作可能でありうる。したがって、例えば、アクセス端末１３２０は、アクセス端末１３２０の現在位置に依存して、アクセス・ノード１３６０によって、または、フェムト・ノード１３１０（例えば、対応するユーザ住宅１３３０内に存在するフェムト・ノード１３１０Ａ，１３１０Ｂ）のセットのうちの任意の１つによってサービス提供されうる。例えば、加入者が、自宅外にいる場合、標準的なマクロ・セル・アクセス・ノード（例えば、ノード１３６０）によってサービス提供され、加入者が、自宅内にいる場合、フェムト・ノード（例えば、ノード１３１０Ａ）によってサービス提供される。ここでは、フェムト・ノード１３１０は、既存のアクセス端末１３２０との後方互換性を持ちうることが認識されるべきである。
【００７３】
フェムト・ノード１３１０は、単一の周波数で、代替例では、複数の周波数で展開されうる。特定の構成に依存して、単一の周波数、または、複数の周波数のうちの１または複数が、マクロ・セル・アクセス・ノード（例えば、ノード１３６０）によって使用される１または複数の周波数とオーバラップしうる。いくつかの態様では、アクセス端末１３２０は、（例えば、アクセス端末１３２０のホーム・フェムト・ノードのような）好適なフェムト・ノードとの接続が可能である場合には常に接続するように構成されうる。例えば、アクセス端末１３２０がユーザの住宅１３３０内にある場合は常に、アクセス端末１３２０はホーム・フェムト・ノード１３１０とのみ通信することが望まれうる。
【００７４】
いくつかの態様では、アクセス端末１３２０がモバイル・オペレータ・コア・ネットワーク１３５０内で動作するが、（例えば、好適なローミング・リストで定義されたような）最も好適なネットワークに存在しない場合、アクセス端末１３２０は、より良好なシステムが現在利用可能であるかを判定するために、利用可能なシステムの定期的なスキャンと、好適なシステムと関連付けるためのその後の努力とを含むベター・システム再選択（ＢＳＲ：Better System Reselection）を使用して、最も好適なネットワーク（例えば、フェムト・ノード１３１０）を探索し続けうる。１つの例では、アクセス端末１３２０は、（例えば、好適なローミング・リスト内の）獲得テーブル・エントリを用いて、特定の帯域およびチャネルを求める探索を制限しうる。例えば、最も好適なシステムの探索は、定期的に反復されうる。アクセス端末１３２０は、例えばフェムト・ノード１３１０のような好適なフェムト・ノードを発見すると、有効通信範囲エリア内でキャンプするためフェムト・ノード１３１０を選択する。
【００７５】
フェムト・ノードは、いくつかの態様において、制限されうる。例えば、所与のフェムト・ノードは、あるアクセス端末に対して一定のサービスしか提供しない。いわゆる制限された（すなわち、クローズされた）関連性を持つ構成では、所与のアクセス端末は、マクロ・セル・モバイル・ネットワーク、および、（例えば、対応するユーザの住宅１３３０内に存在するフェムト・セル１３１０のように）定義されたフェムト・ノードのセットによってのみサービス提供されうる。いくつかの実施では、フェムト・ノードは、少なくとも１つのノードのために、シグナリング、データ・アクセス、登録、ページング、またはサービスのうちの少なくとも１つを提供しないように制限されうる。
【００７６】
いくつかの態様では、（クローズド加入者グループＨ（ｅ）ＮＢとも称されうる）制限されたフェムト・ノードは、制限されたアクセス端末のプロビジョンされたセットへサービスを提供するノードである。必要な場合、このセットは、一時的または永続的に拡張されうる。いくつかの態様では、クローズド加入者グループ（ＣＳＧ）は、アクセス端末の共通のアクセス制御リストを共有するアクセス・ノード（例えば、フェムト・ノード）のセットとして定義されうる。領域内のすべてのフェムト・ノード（または制限されたすべてのフェムト・ノード）が動作するチャネルは、フェムト・チャネルと称されうる。
【００７７】
所与のフェムト・ノードと、所与のアクセス端末との間に、さまざまな関係が存在しうる。例えば、アクセス端末の観点から、オープンなフェムト・ノードは、制限された関連付けを持たないフェムト・ノードと称されうる。制限されたフェムト・ノードは、（例えば、関連付けおよび／または登録について制限されたような）ある方式で制限されたフェムト・ノードを称しうる。ホーム・フェムト・ノードは、アクセス端末がアクセスし動作することが許可されたフェムト・ノードを称しうる。ゲスト・フェムト・ノードは、アクセス端末がアクセスし動作することを一時的に許可されたフェムト・ノードを称しうる。外部フェムト・ノードは、恐らくは緊急事態（例えば、９１１コール）を除いて、アクセス端末がアクセスし動作することを許可されないフェムト・ノードを称しうる。
【００７８】
制限されたフェムト・ノードの観点から、ホーム・アクセス端末は、制限されたフェムト・ノードにアクセスすることが許可されたアクセス端末を称しうる。ゲスト・アクセス端末は、制限されたフェムト・ノードへの一時的なアクセスを持つアクセス端末を称しうる。外部アクセス端末は、恐らくは、例えば９１１コールのような緊急事態を除いて、制限されたフェムト・ノードへアクセスする許可を持たないアクセス端末（例えば、制限されたフェムト・ノードに登録する証明書または許可を持たないアクセス端末）を称しうる。
【００７９】
便宜上、本明細書における開示は、フェムト・ノードの文脈で、さまざまな機能を説明している。しかしながら、大規模な有効通信範囲エリアのために、ピコ・ノードが、フェムト・ノードと同じまたは同様の機能を提供しうることが認識されるべきである。例えば、ピコ・ノードが制限され、所与のアクセス端末のためにホーム・ピコ・ノードが定義される等である。
【００８０】
無線多元接続通信システムは、複数の無線アクセス端末のための通信を同時にサポートしうる。前述したように、おのおのの端末は、順方向リンクおよび逆方向リンクによる送信によって１または複数の基地局と通信しうる。順方向リンク（すなわちダウンリンク）は、基地局から端末への通信リンクを称し、逆方向リンク（すなわちアップリンク）は、端末から基地局への通信リンクを称する。この通信リンクは、単一入力単一出力システム、ＭＩＭＯシステム、あるいは、その他いくつかのタイプのシステムによって確立されうる。
【００８１】
本明細書で開示された実施形態に関連して記述されたさまざまな例示的なロジック、論理ブロック、モジュール、構成要素、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサとしてマイクロ・プロセッサを用いることが可能でありうるが、代わりに、従来技術によるプロセッサ、コントローラ、マイクロ・コントローラ、あるいは順序回路を用いることも可能でありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。さらに、少なくとも１つのプロセッサは、前述したステップおよび／または動作のうちの１または複数を実行するように動作可能な１または複数のモジュールを備えうる。典型的な記憶媒体は、プロセッサに結合されており、これによって、プロセッサは、記憶媒体との間で情報を読み書きできるようになりうる。あるいは、この記憶媒体は、プロセッサに統合されうる。さらに、いくつかの態様では、プロセッサと記憶媒体とが、ＡＳＩＣ内に存在しうる。さらに、ＡＳＩＣは、ユーザ端末に存在しうる。あるいは、プロセッサおよび記憶媒体は、ユーザ端末内のディスクリートな構成要素として存在しうる。
【００８２】
１または複数の態様では、説明された機能、方法、またはアルゴリズムが、ハードウェア、ソフトウェア、ファームウェア、またはこれらの任意の組み合わせで実現されうる。ソフトウェアで実現される場合、これら機能は、コンピュータ・プログラム製品に組み込まれうるコンピュータ読取可能な媒体上のコード、または、１または複数の命令群として格納または送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、コンピュータによってアクセスされうる任意の利用可能な媒体でありうる。例として、限定することなく、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。また、実質的に任意の接続が、コンピュータ読取可能な媒体と称されうる。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるｄｉｓｋおよびｄｉｓｃは、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルーレイ・ディスク（ｄｉｓｃ）を含む。通常、ｄｉｓｋは、データを磁気的に再生し、ｄｉｓｃは、レーザを用いて光学的にデータを再生する。上記の組み合わせもまた、コンピュータ読取可能な媒体の範囲内に含まれるべきである。
【００８３】
前述した開示は、例示的な態様および／または実施形態を開示しているが、さまざまな変更および修正が、特許請求の範囲で定義されたような説明された態様および／または実施形態の範囲から逸脱することなくなされうることが注目されるべきである。さらに、説明された態様および／または実施形態の構成要素は、単数形で記載または特許請求されているが、もしも単数であると明示的に述べられていないのであれば、複数が考慮される。さらに、任意の態様および／または実施形態のすべてまたは一部は、特に述べられていないのであれば、その他任意の態様および／または実施形態のすべてまたは一部とともに利用されうる。
以下に、本願出願当初の特許請求の範囲に記載された発明を付記する。
［１］
イントラ・クローズド加入者グループ（ＣＳＧ）ハンドオーバを実行するための方法であって、
ＣＳＧとの関連付けを通知する信号を送信機を用いて送信することと、
ターゲット・セルが前記ＣＳＧに関連付けられていることを判定することと、
前記ターゲット・セルが前記ＣＳＧに関連付けられていることを判定することに少なくとも部分的に基づいて、前記ターゲット・セルを提供するターゲット・アクセス・ポイントへのデバイスのハンドオーバを開始することと、
を備える方法。
［２］
前記ハンドオーバを開始することは、前記ターゲット・アクセス・ポイントへ、リロケーション要求またはハンドオーバ要求を送信することを備える、［１］に記載の方法。
［３］
前記ターゲット・セルがハイブリッド・セルであることを判定することと、
前記ターゲット・セルがハイブリッド・セルであることを判定することに少なくとも部分的に基づいて、前記デバイスが前記ＣＳＧのメンバであるか否かを、前記リロケーション要求または前記ハンドオーバ要求において示すことと、
をさらに備える［２］に記載の方法。
［４］
前記デバイスから、ＣＳＧ識別子、物理セル識別子、またはアクセス・モードを受信することと、
前記ターゲット・セルがハイブリッド・セルであることを判定することに少なくとも部分的に基づいて、前記デバイスからの前記ＣＳＧ識別子、前記物理セル識別子、または前記アクセス・モードを、前記リロケーション要求または前記ハンドオーバ要求に含めることと、
をさらに備える［３］に記載の方法。
［５］
前記ターゲット・セルがクローズド・セルであることを判定することをさらに備え、
前記デバイスのハンドオーバを開始することはさらに、前記ターゲット・セルがクローズド・セルであることを判定することに少なくとも部分的に基づく、［１］に記載の方法。
［６］
前記判定することは、前記ターゲット・セルが、前記ＣＳＧに関連付けられていることを、前記ＣＳＧの識別子と、前記ターゲット・アクセス・ポイントに対応するＣＳＧ識別子を比較することに少なくとも部分的に基づいて判定することを含む、［１］に記載の方法。
［７］
前記デバイスから測定レポートを受信することをさらに備え、
前記測定レポートは、前記ターゲット・アクセス・ポイントに対応するＣＳＧ識別子を備える、［６］に記載の方法。
［８］
前記ターゲット・アクセス・ポイントによって送信されたブロードキャスト信号から前記ＣＳＧ識別子を受信すること、をさらに備える［６］に記載の方法。
［９］
前記ハンドオーバを開始することは、Ｘ２インタフェースを介して前記ターゲット・アクセス・ポイントと通信することを備える、［１］に記載の方法。
［１０］
イントラ・クローズド加入者グループ（ＣＳＧ）ハンドオーバを実行するための装置であって、
ＣＳＧとの関連付けを通知する信号を送信し、
ターゲット・セルが前記ＣＳＧに関連付けられていることを判定し、
前記ターゲット・セルが前記ＣＳＧに関連付けられていることに少なくとも部分的に基づいて、前記ターゲット・セルを提供するターゲット・アクセス・ポイントへのデバイスのハンドオーバを開始する
ように構成された少なくとも１つのプロセッサと、
前記少なくとも１つのプロセッサに接続されたメモリと、
を備える装置。
［１１］
前記少なくとも１つのプロセッサは、少なくとも部分的に、前記ターゲット・アクセス・ポイントへリロケーション要求またはハンドオーバ要求を送信することによって、前記ハンドオーバを開始する、［１０］に記載の装置。
［１２］
前記少なくとも１つのプロセッサはさらに、
前記ターゲット・セルがハイブリッド・セルであることを判定し、
前記ターゲット・セルがハイブリッド・セルであることに少なくとも部分的に基づいて、前記デバイスが前記ＣＳＧのメンバであるか否かを、前記リロケーション要求または前記ハンドオーバ要求において示す
ように構成された、［１１］に記載の装置。
［１３］
前記少なくとも１つのプロセッサはさらに、
前記デバイスから、ＣＳＧ識別子、物理セル識別子、またはアクセス・モードを取得し、
前記ターゲット・セルが前記ハイブリッド・セルであることに少なくとも部分的に基づいて、前記ＣＳＧ識別子、前記物理セル識別子、または前記アクセス・モードを、前記リロケーション要求または前記ハンドオーバ要求において指定する
ように構成された、［１２］に記載の装置。
［１４］
前記少なくとも１つのプロセッサはさらに、前記ターゲット・セルがクローズド・セルであることを判定するように構成され、
前記少なくとも１つのプロセッサは、さらに前記ターゲット・セルがクローズド・セルであることに少なくとも部分的に基づいて、前記デバイスのハンドオーバを開始する、［１０］に記載の装置。
［１５］
前記少なくとも１つのプロセッサは、前記ターゲット・セルが、前記ＣＳＧに関連付けられていることを、前記ターゲット・アクセス・ポイントに対応するＣＳＧ識別子を、前記ＣＳＧの識別子と比較することに少なくとも部分的に基づいて判定する、［１０］に記載の装置。
［１６］
前記少なくとも１つのプロセッサはさらに、前記ターゲット・アクセス・ポイントに対応するＣＳＧ識別子を備える測定レポートを、前記デバイスから受信するように構成された、［１５］に記載の装置。
［１７］
前記少なくとも１つのプロセッサはさらに、前記ターゲット・アクセス・ポイントによって送信されたブロードキャスト信号から前記ＣＳＧ識別子を受信するように構成された、［１５］に記載の装置。
［１８］
前記少なくとも１つのプロセッサは、少なくとも部分的に、Ｘ２インタフェースを介して前記ターゲット・アクセス・ポイントと通信することによって前記ハンドオーバを開始する、［１０］に記載の装置。
［１９］
イントラ・クローズド加入者グループ（ＣＳＧ）ハンドオーバを実行するための装置であって、
ＣＳＧとの関連付けを通知する信号を送信する手段と、
ターゲット・セルが前記ＣＳＧに関連付けられていることを判定する手段と、
前記ターゲット・セルがＣＳＧに関連付けられていることを判定することに少なくとも部分的に基づいて、前記ターゲット・セルを提供するターゲット・アクセス・ポイントへのデバイスのハンドオーバを開始する手段と、
を備える装置。
［２０］
前記開始する手段は、少なくとも部分的に、前記ターゲット・アクセス・ポイントへリロケーション要求またはハンドオーバ要求を送信することによって、前記ハンドオーバを開始する、［１９］に記載の装置。
［２１］
前記開始する手段は、
前記ターゲット・セルがハイブリッド・セルであることを判定し、
前記ターゲット・セルがハイブリッド・セルであることを判定することに基づいて、前記デバイスが前記ＣＳＧのメンバであるか否かを、前記リロケーション要求または前記ハンドオーバ要求において示す、［２０］に記載の装置。
［２２］
前記デバイスから、ＣＳＧ識別子、物理セル識別子、またはアクセス・モードを受信する手段をさらに備え、
前記示すことは、前記ターゲット・セルが前記ハイブリッド・セルであると判定することに基づいて、前記ＣＳＧ識別子、前記物理セル識別子、または前記アクセス・モードを、前記リロケーション要求または前記ハンドオーバ要求において指定する、［２１］に記載の装置。
［２３］
前記開始する手段は、
前記ターゲット・セルがクローズド・セルであると判定し、
前記ターゲット・セルがクローズド・セルであると判定することに少なくとも部分的に基づいて、前記ハンドオーバを開始する、
［１９］に記載の装置。
［２４］
前記判定する手段は、前記ターゲット・セルが、前記ＣＳＧに関連付けられていることを、前記ＣＳＧの識別子と、前記ターゲット・アクセス・ポイントに対応するＣＳＧ識別子を比較することに少なくとも部分的に基づいて判定する、［１９］に記載の装置。
［２５］
前記デバイスから測定レポートを受信する手段をさらに備え、
前記判定する手段は、前記測定レポートから前記ＣＳＧ識別子を取得する、［２４］に記載の装置。
［２６］
前記判定する手段は、前記ターゲット・アクセス・ポイントによって送信されたブロードキャスト信号から前記ＣＳＧ識別子を受信する、［２４］に記載の装置。
［２７］
前記開始する手段は、少なくとも部分的に、Ｘ２インタフェースを介して前記ターゲット・アクセス・ポイントと通信することによって前記ハンドオーバを開始する、［１９］に記載の装置。
［２８］
イントラ・クローズド加入者グループ（ＣＳＧ）ハンドオーバを実行するためのコンピュータ・プログラム製品であって、
少なくとも１つのコンピュータに対して、ＣＳＧとの関連付けを通知する信号を送信させるためのコードと、
前記少なくとも１つのコンピュータに対して、ターゲット・セルが前記ＣＳＧに関連付けられているか否かを判定させるためのコードと、
前記少なくとも１つのコンピュータに対して、前記ターゲット・セルが前記ＣＳＧに関連付けられているか否かを判定することに少なくとも部分的に基づいて、前記ターゲット・セルを提供するターゲット・アクセス・ポイントへのデバイスのハンドオーバを開始させるためのコードと、
を備えるコンピュータ読取可能な媒体、
を備えるコンピュータ・プログラム製品。
［２９］
前記少なくとも１つのコンピュータに対して開始させるためのコードは、少なくとも部分的に、前記ターゲット・アクセス・ポイントへリロケーション要求またはハンドオーバ要求を送信することによって、前記ハンドオーバを開始する、［２８］に記載のコンピュータ・プログラム製品。
［３０］
前記コンピュータ読取可能な媒体はさらに、
前記少なくとも１つのコンピュータに対して、前記ターゲット・セルがハイブリッド・セルであることを判定させるためのコードと、
前記少なくとも１つのコンピュータに対して、前記ターゲット・セルがハイブリッド・セルであることに少なくとも部分的に基づいて、前記デバイスが前記ＣＳＧのメンバであるか否かを、前記リロケーション要求または前記ハンドオーバ要求において示させるためのコードと
を備える、［２９］に記載のコンピュータ・プログラム製品。
［３１］
前記コンピュータ読取可能な媒体はさらに、
前記少なくとも１つのコンピュータに対して、
前記デバイスから、ＣＳＧ識別子、物理セル識別子、またはアクセス・モードを受信させ、
前記ターゲット・セルが前記ハイブリッド・セルであることに少なくとも部分的に基づいて、前記ＣＳＧ識別子、前記物理セル識別子、または前記アクセス・モードを、前記リロケーション要求または前記ハンドオーバ要求において指定させる
ためのコードを備える、［３０］に記載のコンピュータ・プログラム製品。
［３２］
前記コンピュータ読取可能な媒体はさらに、前記少なくとも１つのコンピュータに対して、前記ターゲット・セルがクローズド・セルであることを判定させるためのコードを備え、
前記少なくとも１つのコンピュータに対して開始させるためのコードは、前記ターゲット・セルがクローズド・セルであることに少なくとも部分的に基づいて、前記デバイスのハンドオーバを開始する、［２８］に記載のコンピュータ・プログラム製品。
［３３］
前記少なくとも１つのコンピュータに対して判定させるためのコードは、前記ターゲット・セルが、前記ＣＳＧに関連付けられていることを、前記ターゲット・アクセス・ポイントに対応するＣＳＧ識別子を、前記ＣＳＧの識別子と比較することに少なくとも部分的に基づいて判定する、［２８］に記載のコンピュータ・プログラム製品。
［３４］
前記コンピュータ読取可能な媒体はさらに、前記少なくとも１つのコンピュータに対して、前記ターゲット・アクセス・ポイントに対応するＣＳＧ識別子を備える前記測定レポートを前記デバイスから受信させるためのコードを備える、［３３］に記載のコンピュータ・プログラム製品。
［３５］
前記コンピュータ読取可能な媒体はさらに、前記少なくとも１つのコンピュータに対して、前記ターゲット・アクセス・ポイントによって送信されたブロードキャスト信号から前記ＣＳＧ識別子を受信させるためのコードを備える、［３３］に記載のコンピュータ・プログラム製品。
［３６］
前記少なくとも１つのコンピュータに対して開始させるためのコードは、少なくとも部分的に、Ｘ２インタフェースを介して前記ターゲット・アクセス・ポイントと通信することによって前記ハンドオーバを開始する、［２８］に記載のコンピュータ・プログラム製品。
［３７］
イントラ・クローズド加入者グループ（ＣＳＧ）ハンドオーバを実行するための装置であって、
ＣＳＧとの関連付けを通知する信号を送信するＣＳＧ関連付け構成要素と、
ターゲット・セルが前記ＣＳＧに関連付けられているか否かを判定するＣＳＧ判定構成要素と、
前記ターゲット・セルが前記ＣＳＧに関連付けられているか否か判定することに少なくとも部分的に基づいて、前記ターゲット・セルを提供するターゲット・アクセス・ポイントへのデバイスのハンドオーバを開始するハンドオーバ構成要素と、
を備える装置。
［３８］
前記ハンドオーバ構成要素は、少なくとも部分的に、前記ターゲット・アクセス・ポイントへリロケーション要求またはハンドオーバ要求を送信することによって、前記ハンドオーバを開始する、［３７］に記載の装置。
［３９］
前記ハンドオーバ構成要素は、
前記ターゲット・セルがハイブリッド・セルであると判定し、
前記ターゲット・セルがハイブリッド・セルであると判定することに基づいて、前記デバイスが前記ＣＳＧのメンバであるか否かを、前記リロケーション要求または前記ハンドオーバ要求において示す、
［３８］に記載の装置。
［４０］
前記デバイスから、ＣＳＧ識別子、物理セル識別子、またはアクセス・モードを受信する測定レポート受信構成要素をさらに備え、
前記ハンドオーバ構成要素は、前記ターゲット・セルが前記ハイブリッド・セルであると判定することに基づいて、前記ＣＳＧ識別子、前記物理セル識別子、または前記アクセス・モードを、前記リロケーション要求または前記ハンドオーバ要求において指定する、［３９］に記載の装置。
［４１］
前記ハンドオーバ構成要素は、
前記ターゲット・セルがクローズド・セルであると判定し、
前記ターゲット・セルがクローズド・セルであると判定することに少なくとも部分的に基づいて、前記ハンドオーバを開始する、
［３７］に記載の装置。
［４２］
前記ＣＳＧ判定構成要素は、前記ターゲット・セルが、前記ＣＳＧに関連付けられていることを、前記ＣＳＧの識別子と、前記ターゲット・アクセス・ポイントに対応するＣＳＧ識別子を比較することに少なくとも部分的に基づいて判定する、［３７］に記載の装置。
［４３］
前記ターゲット・アクセス・ポイントに対応するＣＳＧ識別子を備える測定レポートを前記デバイスから受信する測定レポート受信構成要素をさらに備える［４２］に記載の装置。
［４４］
前記ＣＳＧ判定構成要素は、前記ターゲット・アクセス・ポイントによって送信されたブロードキャスト信号から前記ＣＳＧ識別子を受信する、［４２］に記載の装置。
［４５］
前記ハンドオーバ構成要素は、少なくとも部分的に、Ｘ２インタフェースを介して前記ターゲット・アクセス・ポイントと通信することによって前記ハンドオーバを開始する、［３７］に記載の装置。
【図１】
0005882300.tif 000002
【図２】
0005882300.tif 000003
【図３】
0005882300.tif 000004
【図４】
0005882300.tif 000005
【図５】
0005882300.tif 000006
【図６】
0005882300.tif 000007
【図７】
0005882300.tif 000008
【図８】
0005882300.tif 000009
【図９】
0005882300.tif 000010
【図１０】
0005882300.tif 000011
【図１１】
0005882300.tif 000012
【図１２】
0005882300.tif 000013
【図１３】
0005882300.tif 000014
【図１４】
0005882300.tif 000015